(57)【特許請求の範囲】
【請求項１】
ワイヤレス通信ネットワークにおいて接続を確立するための方法であって、
２つ以上のアクセス端末（ＡＴ）が使用する共通接続を予約することと、
前記共通接続を前記ＡＴに対応するネットワーク識別子に関連付けることと、
前記ネットワーク識別子を維持しながら前記ＡＴのためのネットワーク識別子関係のコンテキストを削除することと、
前記ＡＴへの呼に基づいて、前記共通接続を介して、及び前記ネットワーク識別子に基づいて、メッセージを送信することと、
を含む、方法。
【請求項２】
無線アクセスネットワーク（ＲＡＮ）要素とパケットデータ交換ノード（ＰＤＳＮ）との間に前記共通接続を確立することを更に備える、請求項１に記載の方法。
【請求項３】
前記共通接続が、パケットデータサービングノード（ＰＤＳＮ）とＩＰネットワーク側要素との間に確立された共通モバイルインターネットプロトコル（ＭＩＰ）トンネルである、請求項１に記載の方法。
【請求項４】
前記ＩＰネットワーク側要素が、ホームエージェント（ＨＡ）、ローカルモビリティアンカー（ＬＭＡ）又は呼発信者ゲートウェイ構成要素のうちの１つである、請求項３に記載の方法。
【請求項５】
前記関連付けるステップが、前記ＡＴによる登録セッションに基づいて実行される、請求項４に記載の方法。
【請求項６】
前記登録セッションが、無線リンクレイヤセッション、データリンクレイヤセッション又はＩＰネットワークレイヤセッションのうちの１つである、請求項５に記載の方法。
【請求項７】
ポイントツーポイントプロトコル（ＰＰＰ）セッションに対応するＡＴ固有コンテキストを削除することを更に備える、請求項１に記載の方法。
【請求項８】
前記メッセージが、ウェイクアップメッセージ、ページ又は階層メッセージのうちの１つである、請求項１に記載の方法。
【請求項９】
前記ウェイクアップメッセージ、前記ページ又は前記階層メッセージのうちの１つ又は複数のための階層ＩＰアドレスを構築することを更に備える、請求項８に記載の方法。
【請求項１０】
前記ページが、前記ネットワーク識別子としてＩＰアドレス、ユニバーサルリソースロケータ（ＵＲＬ）又はネットワークアドレス識別子（ＮＡＩ）を用いたエアインターフェースページングを使用する、請求項８に記載の方法。
【請求項１１】
前記メッセージのデータパケットヘッダ中に含まれるＩＰアドレスからユニキャストアクセス端末識別子（ＵＡＴＩ）を導出することを更に備える、請求項１に記載の方法。
【請求項１２】
前記メッセージが、前記ネットワーク識別子をデバイス固有識別子に変換するためのマッピングに関する情報を含む、請求項１に記載の方法。
【請求項１３】
前記デバイス固有識別子がユニキャストアクセス端末識別子（ＵＡＴＩ）である、請求項１２に記載の方法。
【請求項１４】
前記呼を搬送するための前記ＡＴに対応する前記ネットワーク識別子のための固有の接続及びコンテキストが確立され、前記メッセージに対する応答に基づく、請求項１に記載の方法。
【請求項１５】
前記ネットワーク識別子がＩＰアドレス又はユニバーサルリソースロケータ（ＵＲＬ）である、請求項１に記載の方法。
【請求項１６】
プロセッサとメモリとを備える、接続を確立するための装置であって、前記メモリは、
２つ以上のアクセス端末（ＡＴ）が使用する共通接続を予約することと、
前記共通接続を前記ＡＴに対応するネットワーク識別子に関連付けることと、
前記ネットワーク識別子を維持しながら前記ＡＴのためのインターネットプロトコル（ＩＰ）関係のコンテキストを削除することと、
前記ＡＴへの呼に基づいて、前記共通接続を介して、及び前記ネットワーク識別子に基づいて、メッセージを送信することと、
を実行するための、前記プロセッサによって実行可能なプログラムコードを含んでいる、
装置。
【請求項１７】
前記メモリが、無線アクセスネットワーク（ＲＡＮ）要素とパケットデータ交換ノード（ＰＤＳＮ）との間に前記共通接続を確立するためのプログラムコードを更に備える、請求項１６に記載の装置。
【請求項１８】
前記共通接続が、パケットデータサービングノード（ＰＤＳＮ）とＩＰネットワーク側要素との間に確立された共通モバイルインターネットプロトコル（ＭＩＰ）トンネルである、請求項１６に記載の装置。
【請求項１９】
前記ＩＰネットワーク側要素が、ホームエージェント（ＨＡ）、ローカルモビリティアンカー（ＬＭＡ）又は呼発信者ゲートウェイ構成要素のうちの１つである、請求項１８に記載の装置。
【請求項２０】
前記メモリが、前記ＡＴによる登録セッションに基づいて前記関連付けるステップを実行するためのプログラムコードを更に備え、前記登録セッションが、無線リンクレイヤセッション、データリンクレイヤセッション又はＩＰネットワークレイヤセッションのうちの１つである、請求項１９に記載の装置。
【請求項２１】
前記メモリが、ポイントツーポイントプロトコル（ＰＰＰ）セッションに対応するＡＴ固有コンテキストを削除するためのプログラムコードを更に備える、請求項１６に記載の装置。
【請求項２２】
前記メッセージが、ウェイクアップメッセージ、ページ又は階層メッセージのうちの１つである、請求項１６に記載の装置。
【請求項２３】
前記メッセージが、前記ネットワーク識別子をデバイス固有識別子に変換するためのマッピングに関する情報を含む、請求項１６に記載の装置。
【請求項２４】
前記デバイス固有識別子がユニキャストアクセス端末識別子（ＵＡＴＩ）である、請求項２３に記載の装置。
【請求項２５】
前記呼を搬送するための前記ＡＴに対応する前記ネットワーク識別子のための固有の接続及びコンテキストが確立され、前記メッセージに対する応答に基づく、請求項１６に記載の装置。
【請求項２６】
前記ネットワーク識別子がＩＰアドレス又はユニバーサルリソースロケータ（ＵＲＬ）である、請求項１６に記載の装置。
【請求項２７】
ワイヤレス通信ネットワークにおいて接続を確立するための装置であって、
１つ以上のアクセス端末（ＡＴ）が使用する共通接続を予約するための手段と、
前記共通接続を前記ＡＴに対応するネットワーク識別子に関連付けるための手段と、
前記ネットワーク識別子を維持しながら前記ＡＴのためのインターネットプロトコル（ＩＰ）関係のコンテキストを削除するための手段と、
前記共通接続を介して、前記ＡＴへの呼に基づいて、及び前記ネットワーク識別子に基づいて、メッセージを送信するための手段と、前記呼を搬送するための前記ＡＴに対応する固有の接続が、前記メッセージに対する応答に基づいている、
を備える、装置。
【請求項２８】
無線アクセスネットワーク（ＲＡＮ）要素とパケットデータ交換ノード（ＰＤＳＮ）との間に前記共通接続を確立するための手段を更に備える、請求項２７に記載の装置。
【請求項２９】
前記共通接続が、パケットデータサービングノード（ＰＤＳＮ）とＩＰネットワーク側要素との間に確立された共通モバイルインターネットプロトコル（ＭＩＰ）トンネルである、請求項２７に記載の装置。
【請求項３０】
前記ＩＰネットワーク側要素が、ホームエージェント（ＨＡ）、ローカルモビリティアンカー（ＬＭＡ）又は呼発信者ゲートウェイ構成要素のうちの１つである、請求項２９に記載の装置。
【請求項３１】
前記関連付けるステップが、前記ＡＴによる登録セッションに基づいて実行され、前記登録セッションが、無線リンクレイヤセッション、データリンクレイヤセッション又はＩＰネットワークレイヤセッションのうちの１つである、請求項３０に記載の装置。
【請求項３２】
ポイントツーポイントプロトコル（ＰＰＰ）セッションに対応するＡＴ固有コンテキストを削除するための手段を更に備える、請求項２７に記載の装置。
【請求項３３】
前記メッセージが、ウェイクアップメッセージ、ページ又は階層メッセージのうちの１つであり、前記メッセージが、前記ネットワーク識別子をデバイス固有識別子に変換するためのマッピングに関する情報を含む、請求項２７に記載の装置。
【請求項３４】
前記デバイス固有識別子がユニキャストアクセス端末識別子（ＵＡＴＩ）である、請求項３３に記載の装置。
【請求項３５】
前記ネットワーク識別子がＩＰアドレス又はユニバーサルリソースロケータ（ＵＲＬ）である、請求項２７に記載の装置。
【請求項３６】
２つ以上のアクセス端末（ＡＴ）が使用する共通接続を予約することをコンピュータに行わせるためのコードと、
前記共通接続を前記ＡＴに対応するネットワーク識別子に関連付けることを前記コンピュータに行わせるためのコードと、
前記ネットワーク識別子を維持しながら前記ＡＴのためのインターネットプロトコル（ＩＰ）関係のコンテキストを削除することを前記コンピュータに行わせるためのコードと、
前記ＡＴへの呼に基づいて、前記共通接続を介して、及び前記ネットワーク識別子に基づいて、メッセージを送信することを前記コンピュータに行わせるためのコードと、
を含むコンピュータ可読記憶媒体。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１０年４月７日に出願された「Apparatus and Methods of Connection Establishment in a Communications Network」と題する仮出願第６１／３２１，７９８号の優先権を主張する。
【０００２】
本開示は、一般に、ワイヤレス通信のための装置及び方法に関する。より詳細には、本開示は、通信ネットワークにおける接続確立に関する。
【背景技術】
【０００３】
ワイヤレス通信システムは、電話、ビデオ、データ、メッセージング、及びブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、及び時分割同期符号分割多元接続（ＴＤ−ＳＣＤＭＡ）システムがある。
【０００４】
これら多元接続技術は、異なるワイヤレス機器が都市、国家、地域、更には地球規模で通信することを可能にする共通プロトコルを与えるために様々な電気通信規格において採用されている。別の電気通信規格の一例は、Long Term Evolution(ＬＴＥ)である。ＬＴＥは、第三世代パートナシッププロジェクト（Third Generation Partnership Project(３ＧＰＰ)）によって公表されたユニバーサル・モバイル・テレコミュニケーション・システム（Universal Mobile Telecommunications System(ＵＭＴＳ)）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
接続を確立するための装置及び方法が開示される。一態様によれば、ワイヤレス通信ネットワークにおいて接続を確立するための方法が、２つ以上のアクセス端末（ＡＴ）が使用する共通接続を予約することと、共通接続をＡＴに対応するネットワーク識別子に（例えば、ＩＰアドレス又はユニバーサルリソースロケータ（ＵＲＬ）に）関連付けることと、ネットワーク識別子を維持しながらＡＴのためのネットワーク識別子コンテキストを削除すること（例えば、インターネットプロトコル（ＩＰ）関係のコンテキストを削除すること）と、ＡＴへの呼に基づいて、共通接続を介して、及び（コンテキストが削除された）ネットワーク識別子に基づいて、メッセージを送信することとを含む。一例では、上記呼を搬送するためのＡＴに対応するネットワーク識別子のための固有の接続及びコンテキストが、上記メッセージに対する応答に基づく。
【０００６】
別の態様によれば、アクセス端末（ＡＴ）において接続を確立するための方法が、ワイヤレス通信ネットワークとの登録セッションを行うことと、登録セッションに基づいてＡＴに対応するネットワーク識別子を取得することと、ネットワーク識別子を維持しながらＡＴのためのネットワーク識別子関係のコンテキスト（例えば、インターネットプロトコル（ＩＰ）関係のコンテキスト）を削除することと、ＡＴに宛てられた呼を示すメッセージを受信することと、上記メッセージに基づいて、上記呼を搬送するためのＡＴに対応する固有の接続を確立することとを含む。
【０００７】
別の態様によれば、接続を確立するための装置がプロセッサとメモリとを備え、メモリは、２つ以上のアクセス端末（ＡＴ）が使用する共通接続を予約することと、共通接続をＡＴに対応するネットワーク識別子に関連付けることと、ネットワーク識別子を維持しながらＡＴのためのネットワーク識別子関係のコンテキスト（例えば、インターネットプロトコル（ＩＰ）関係のコンテキスト）を削除することと、ＡＴへの呼に基づいて、共通接続を介して、及びネットワーク識別子に基づいて、メッセージを送信することとを実行するための、プロセッサによって実行可能なプログラムコードを含んでいる。一例では、上記呼を搬送するためのＡＴに対応するネットワーク識別子のための固有の接続及びコンテキストが、上記メッセージに対する応答に基づく。
【０００８】
別の態様によれば、接続を確立するための装置がプロセッサとメモリとを備え、メモリは、ワイヤレス通信ネットワークとの登録セッションを行うことと、登録セッションに基づいてアクセス端末（ＡＴ）に対応するネットワーク識別子を取得することと、ネットワーク識別子を維持しながらＡＴのためのネットワーク識別子関係のコンテキスト（例えば、インターネットプロトコル（ＩＰ）関係のコンテキスト）を削除することと、ＡＴに宛てられた呼を示すメッセージを受信することと、上記メッセージに基づいて、上記呼を搬送するためのＡＴに対応する固有の接続を確立することとを実行するための、プロセッサによって実行可能なプログラムコードを含んでいる。
【０００９】
別の態様によれば、ワイヤレス通信ネットワークにおいて接続を確立するための装置が、２つ以上のアクセス端末（ＡＴ）が使用する共通接続を予約するための手段と、共通接続をＡＴに対応するネットワーク識別子に関連付けるための手段と、ネットワーク識別子を維持しながらＡＴのためのネットワーク識別子関係のコンテキスト（例えば、インターネットプロトコル（ＩＰ）関係のコンテキスト）を削除するための手段と、ＡＴへの呼に基づいて、共通接続を介して、及びネットワーク識別子に基づいて、メッセージを送信するための手段とを含む。一例では、上記呼を搬送するためのＡＴに対応するネットワーク識別子のための固有の接続及びコンテキストが、上記メッセージに対する応答に基づく。
【００１０】
別の態様によれば、アクセス端末（ＡＴ）において接続を確立するための装置が、ワイヤレス通信ネットワークとの登録セッションを行うための手段と、登録セッションに基づいてＡＴに対応するネットワーク識別子を取得するための手段と、ネットワーク識別子を維持しながらＡＴのためのネットワーク識別子関係のコンテキスト（例えば、インターネットプロトコル（ＩＰ）関係のコンテキスト）を削除するための手段と、ＡＴに宛てられた呼を示すメッセージを受信するための手段と、上記メッセージに基づいて、上記呼を搬送するためのＡＴに対応する固有の接続を確立するための手段とを含む。
【００１１】
別の態様によれば、コンピュータプログラム製品が、２つ以上のアクセス端末（ＡＴ）が使用する共通接続を予約することをコンピュータに行わせるためのコードと、共通接続をＡＴに対応するネットワーク識別子に関連付けることをコンピュータに行わせるためのコードと、ネットワーク識別子を維持しながらＡＴのためのネットワーク識別子関係のコンテキスト（例えば、インターネットプロトコル（ＩＰ）関係のコンテキスト）を削除することをコンピュータに行わせるためのコードと、ＡＴへの呼に基づいて、共通接続を介して、及びネットワーク識別子に基づいて、メッセージを送信することをコンピュータに行わせるためのコードとを含むコンピュータ可読媒体を含む。一例では、上記呼を搬送するためのＡＴに対応するネットワーク識別子のための固有の接続及びコンテキストが、上記メッセージに対する応答に基づく。
【００１２】
別の態様によれば、コンピュータプログラム製品が、ワイヤレス通信ネットワークとの登録セッションを行うことをコンピュータに行わせるためのコードと、登録セッションに基づいてＡＴに対応するネットワーク識別子を取得することをコンピュータに行わせるためのコードと、ネットワーク識別子を維持しながらＡＴのためのネットワーク識別子関係のコンテキスト（例えば、インターネットプロトコル（ＩＰ）関係のコンテキスト）を削除することをコンピュータに行わせるためのコードと、ＡＴに宛てられた呼を示すメッセージを受信することをコンピュータに行わせるためのコードと、上記メッセージに基づいて、上記呼を搬送するためのＡＴに対応する固有の接続を確立することをコンピュータに行わせるためのコードとを含むコンピュータ可読媒体を含む。
【００１３】
本開示の利点は、リソースを温存することと、効率的なネットワークリソース利用を可能にすることとを含み得る。
【００１４】
様々な態様が例として図示され説明される、以下の発明を実施するための形態から、当業者には他の態様が容易に明らかになることを理解されたい。図面及び発明を実施するための形態は、本質的に例示的なものと見なされるべきであり、限定的なものと見なされるべきではない。
【図面の簡単な説明】
【００１５】
【図１】ワイヤレス通信ネットワークにおいて接続を確立するための例示的な概略図。
【図２】図１のワイヤレス通信ネットワークの１つ又は複数の構成要素を表す通信機器の例示的な概略図。
【図３】ワイヤレス通信ネットワークにおいて接続を確立するための例示的な流れ図。
【図４】アクセス端末（ＡＴ）において接続を確立するための例示的な流れ図。
【図５】アクセス端末（ＡＴ）と、アクセスノード（ＡＮ）と、パケットデータサービングノード（ＰＤＳＮ）と、ホームエージェント／ローカルモビリティエージェント（ＨＡ／ＬＭＡ）とを用いた従来技術のモバイル着信データ呼の一例を示す図。
【図６】現在のデータセッションモデルの一例を示す図。
【図７】２つの異なるデータセッションモデルオプションがあるＭ２Ｍサービスのための例示的なデータセッションモデルを示す図。
【図８】ウェイクアップメッセージのための識別子を導出するための３つの異なるフォーマットの例を示す図。
【図９】ＰＭＩＰｖ６を使用したデータ登録のオプション１の例示的なシーケンス図。
【図１０】ＰＭＩＰｖ６を使用したデータ登録のオプション２の例示的なシーケンス図。
【図１１】ＭＩＰ６を使用したデータセッション登録の例示的なシーケンス図。
【図１２】セットアップ中のＭ２Ｍシグナリングプロトコル構造の例示的なシーケンス図。
【図１３】コンテキストを確立するためのＭ２Ｍシグナリングプロトコル構造の例示的なシーケンス図。
【図１４】ワイヤレス通信ネットワークにおいて接続を確立するための例示的な機器を示す図。
【図１５】アクセス端末（ＡＴ）において接続を確立するための例示的な機器を示す図。
【図１６】ワイヤレス通信ネットワークにおいて接続を確立するのに好適な例示的な機器を示す図。
【図１７】ワイヤレス通信ネットワークにおいて接続を確立するのに好適な例示的な機器を示す図。
【図１８】２端末システム、例えば、アクセスノード／アクセス端末の一例を示すブロック図。
【図１９】複数のアクセス端末をサポートするワイヤレス通信ネットワークの一例を示す図。
【発明を実施するための形態】
【００１６】
添付の図面とともに以下に示す発明を実施するための形態は、本開示の様々な態様を説明するものであり、本開示が実施され得る唯一の態様を表すものではない。本開示で説明する各態様は、本開示の例又は説明として与えるものにすぎず、必ずしも他の態様よりも好適である又は有利であると解釈すべきではない。発明を実施するための形態は、本開示の完全な理解を与えるための具体的な詳細を含む。ただし、本開示はこれらの具体的な詳細なしに実施され得ることが当業者には明らかであろう。場合によっては、本開示の概念を不明瞭にしないように、よく知られている構造及び機器をブロック図の形式で示す。頭字語及び他の記述的専門用語は、単に便宜のために及び明瞭にするためにのみ使用され得、本開示の範囲を限定するものではない。
【００１７】
説明を簡単にするために、方法を一連の行為として図示し説明するが、幾つかの行為は、１つ又は複数の態様によれば、本明細書で図示し説明する順序とは異なる順序で、及び／又は他の行為と同時に行われ得るので、方法は行為の順序によって限定されないことを理解し、諒解されたい。例えば、方法は、状態図など、一連の相互に関係する状態又はイベントとして代替的に表現され得ることを、当業者は理解し、諒解するであろう。更に、１つ又は複数の態様による方法を実装するために、図示の全ての行為が必要とされるとは限らない。
【００１８】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」及び「システム」という用語は、しばしば互換的に使用される。ＣＤＭＡネットワークは、Universal Terrestrial Radio Access（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）及び低チップレート（ＬＣＲ）を含む。ｃｄｍａ２０００は、ＩＳ−２０００、ＩＳ−９５及びＩＳ−８５６規格をカバーする。ＴＤＭＡネットワークは、Global System for Mobile Communications（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、及びＧＳＭは、Universal Mobile Telecommunication System（ＵＭＴＳ）の一部である。Long Term Evolution（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ及びＬＴＥは、「三世代パートナシッププロジェクト」（３ＧＰＰ）と称する団体からの文書に記載されている。ｃｄｍａ２０００は、「三世代パートナシッププロジェクト２」（３ＧＰＰ２）と称する団体からの文書に記載されている。これらの様々な無線技術及び規格は当技術分野で知られている。
【００１９】
モバイルワイヤレス通信は、アクセス端末（ＡＴ）又はユーザ機器（ＵＥ）が呼を発信又は受信するためにワイヤレス通信ネットワークと対話することに関与する。ＡＴによって発信される呼はモバイル発信呼（mobile originated call）と呼ばれ、ＡＴによって受信される呼はモバイル着信呼（mobile terminated call）と呼ばれる。
【００２０】
呼を行うか又は受信するために、ＡＴとワイヤレス通信ネットワークとの間に接続が確立される必要がある。そのような接続を確立する際に、ＡＴとワイヤレス通信ネットワークとの間の接続を定義する経路に関与する様々なエンティティにおいてＡＴコンテキストが作成される。例えば、一例では、接続経路は、少なくとも、ＡＴ、無線アクセスネットワーク構成要素、パケットデータサービングノード（ＰＤＳＮ）又はゲートウェイ構成要素、及びモビリティ構成要素などの１つ又は複数のコアインターネットプロトコル（ＩＰ）ネットワーク構成要素を含み得る。呼が行われるとき、接続経路は、別の通信機器、例えば、（呼発信者としても知られる）呼発信者ゲートウェイ構成要素１４又は呼受信者を更に含み得る。これらのエンティティの各々の間の接続のタイプは異なることがあり、従って、経路における接続の各々に対応する別個のＡＴ固有コンテキストがあり得る。各別個のＡＴ固有コンテキストは、ＡＴ毎コンテキストと呼ばれることもある。各ＡＴ固有コンテキストは、接続経路のそれぞれの１つ又は複数の部分をサポートする、例えば、それぞれのプロトコルレイヤに関連付けられた、属性及び／又は特性を定義する様々なパラメータを備える。
【００２１】
一例では、アクセス端末が電源投入されると、接続が確立され、接続経路における接続エンティティの各々は、ＡＴが電源切断されるまで、その接続のためのＡＴのためのＡＴ毎コンテキストを維持する。呼が進行中でないときでも、接続エンティティは上記接続のためのリソースを予約する。例えば、呼、例えばモバイル着信呼を受信するために、現在のアーキテクチャ及びプロトコルでは、ＡＴとワイヤレス通信ネットワークとの間にセッションがセットアップされることを必要とする。呼が頻繁に行われるとき、例えばデータ到着間時間が小さいときは、複数のＡＴ毎コンテキストのモデルは正当である。しかしながら、呼がまれに行われるときは、ワイヤレス通信ネットワークにおいてＡＴ毎コンテキスト及び／又はリソースを予約することに関与するモデルは、極めて費用がかかり、非効率的であり得る。
【００２２】
一態様では、本開示は、通信ネットワーク中のリソースを温存するためにアクセス端末（ＡＴ）と１つ以上のネットワーク要素とにおいて１つ以上のＡＴ固有コンテキストを削除しながら、通信ネットワーク中のＡＴに対応するネットワーク識別子が、ＡＴに到達するために維持され、使用されることを可能にすることを開示する。例えば、幾つかの態様では、ネットワーク識別子に関連付けられたインターネットプロトコル（ＩＰ）関係のコンテキストが削除され得る。他の態様では、ＩＰ関係のコンテキスト及びデータリンクレイヤコンテキストが削除され得る。更に他の態様では、ＩＰ関係のコンテキスト、データリンクレイヤコンテキスト及び無線リンクレイヤコンテキストが削除され得る。これらのコンテキストの各々に関連付けられた、アクティブな接続などのＡＴ固有ネットワークリソースを維持するのではなく、ＡＴに対応するネットワーク識別子がそれに関連付けられる共通接続リソースが含まれ得る。従って、ＡＴへのモバイル着信呼について、通信ネットワークは、呼を搬送するためのＡＴ固有コンテキストを有する接続の確立を開始するようにＡＴをトリガするために、ネットワーク識別子に基づいて又はそれを使用して、ＡＴに連絡するために共通接続リソースを利用することが可能になる。
【００２３】
限定的と解釈されるべきでない１つの例示的な使用事例では、本開示は、複数の呼を受信するＡＴと比較して比較的大きいデータ到着間時間を有するＡＴ、又は特に複数のＡＴをサポートする通信ネットワークにおいて、効率的なネットワークリソース利用を可能にする。例えば、比較的大きいデータ到着間時間は、限定はしないが、１日に１回、又は週に数回、又は月に数回のモバイル着信呼を含み得る。例えば、マシンツーマシン（Ｍ２Ｍ）通信は増加することが予想されるので、Ｍ２Ｍ通信をサポートする通信ネットワークは本開示から恩恵を受け得る。例えば、Ｍ２Ｍ通信は、１つ以上の器具などにおけるエネルギー消費を管理するためのスマートグリッド技術において、個人の状態を監視する機器などの健康状態監視適用例において、或いは１つ以上のリモート機器、又はリモート機器のネットワークが、マネージャ、ホスト、サーバ、ハブ又はコントローラ機器を用いて通信ネットワーク中から通信をまれに受信する他の適用例において、利用され得る。
【００２４】
図１に、ワイヤレス通信ネットワークにおいて接続を確立するための例示的な概略図を示す。図１を参照すると、一態様では、ワイヤレス通信ネットワーク１０は、ＡＴ１６を識別するために、ネットワーク識別子１２が取得され、（呼発信者としても知られる）呼発信者ゲートウェイ構成要素１４に登録されることを可能にする。更に、ワイヤレス通信ネットワーク１０は、ＡＴ１６がアクティブな呼又はデータ接続中にないとき、１つ以上のネットワーク要素２０及び／又はＡＴ１６が、１つ以上のＡＴ固有コンテキスト又はリソース２２を削除することを可能にする。
【００２５】
一例では、ワイヤレス通信ネットワーク１０は、ネットワーク識別子１２に関連付けられた、間接共通接続２６及び２８又は直接共通接続３０など、１つ以上の共通接続２４を予約し得る。従って、ワイヤレス通信ネットワーク１０は、ＡＴ１６へのモバイル着信呼３６をサポートするためのＡＴ１６に対応するＡＴ固有接続３４を確立するようにＡＴ１６に通知するために、呼発信者ゲートウェイ構成要素１４がネットワーク識別子１２を使用して又はそれに基づいて１つ以上の共通接続２４を介してメッセージ３２を送信することを可能にする。
【００２６】
例えば、ＡＴ固有接続３４は、接続３４の１つ以上の部分をサポートするセッションにおいて使用するための、例えば、それぞれのプロトコルレイヤに関連付けられた、属性及び／又は特性、サービス品質（ＱｏＳ）詳細、セキュリティキー、プロトコルデータを定義する、様々なパラメータなど、複数のＡＴ固有コンテキスト又はリソース２２を有し得る。一態様では、ワイヤレス通信ネットワーク１０は、比較的まれなモバイル着信呼、又は言い換えれば、比較的まれなデータ到着間時間を有する、複数のアクセス端末を扱うために、効率的にスケーリングされ得る。従って、ワイヤレス通信ネットワーク１０は、ＡＴ１６にモバイル着信呼を搬送するためのＡＴ固有リソースとの接続を確立するためにＡＴ１６が連絡されることを依然として可能にしながら、ＡＴ１６がアクティブな呼又はデータ接続中にないときに接続とＡＴ固有コンテキスト及びリソースとを削除することによって、ネットワークリソースを効率的に利用する。
【００２７】
一態様では、ＡＴ１６は、ワイヤレス通信ネットワーク１０との通信を確立するように構成されたＡＴ接続マネージャ構成要素３８を含み得る。上記のように、通信ネットワーク１０は１つ又は複数のネットワーク要素２０を含み得る。
【００２８】
例えば、それに限定されないが、Evolution-Data Optimized（ＥＶＤＯ）技術の用語を使用すると、ＡＴ接続マネージャ３８は、（無線アクセスネットワーク（ＲＡＮ）としても知られる）アクセスノード（ＡＮ）４２とのエア又はワイヤレスリンク４０を含む接続を確立し得、接続経路は、パケットデータサービングノード（ＰＤＳＮ）４４、（ホームエージェント（ＨＡ）、ローカルモビリティアンカー（ＬＭＡ）、又はホームエージェント／ローカルモビリティアンカーの組合せ（ＨＡ／ＬＭＡ）などの）モビリティ要素４６を更に含み得る。更に、モバイル着信呼の場合、接続経路は、コントローラ、（Ｍ２Ｍゲートウェイとしても知られる）Ｍ２Ｍサーバなど、呼発信者ゲートウェイ構成要素１４を更に含み得る。この例ではＥＶＤＯ用語が使用されるが、説明する態様は他の電気通信技術又は規格に適用され得ることを理解されたい。
【００２９】
接続確立プロセス中に、ＡＴ接続マネージャ３８は、呼発信者ゲートウェイ構成要素１４へのネットワーク識別子１２の登録を開始するように更に構成され得、それにより、呼発信者ゲートウェイ構成要素１４は、確立されたＡＴ固有接続なしにＡＴ１６に連絡することが可能になる。
【００３０】
呼確立プロセス中に、ＡＴ接続マネージャ３８は、ＡＴコンテキストマネージャ構成要素４８と協働して動作して、ワイヤレス通信ネットワーク１０とのアクティブな呼又はデータ接続中に使用するための１つ以上のＡＴ固有コンテキスト２２を確立し、維持し得る。
【００３１】
一態様では、アクティブな呼が存在しないときの登録後の期間中に、ＡＴ接続マネージャ３８は、ＡＴコンテキストマネージャ４８と協働して動作して、１つ以上のＡＴ固有コンテキスト２２の全部又は何らかの部分を削除しながらネットワーク識別子１２を維持し得る。例えば、呼発信者ゲートウェイ構成要素１４への登録後に、幾つかの態様では、ＡＴコンテキストマネージャ４８は、ネットワーク識別子１２に関連付けられたインターネットプロトコル（ＩＰ）関係のコンテキストを削除する。他の態様では、ＡＴコンテキストマネージャ４８は、ＩＰ関係のコンテキストと、ポイントツーポイントプロトコル（ＰＰＰ）コンテキストなどのデータリンクレイヤコンテキストとを削除する。更に他の態様では、ＡＴコンテキストマネージャ４８は、ＩＰ関係のコンテキストと、データリンクレイヤコンテキストと、限定はしないが高速パケットデータコンテキストなどの無線リンクレイヤコンテキストとを削除する。
【００３２】
更に、登録後の期間中に、ＡＴ接続マネージャ３８は、メッセージ３２を検出するためにアクセスノード４２とのエアリンク４０を、例えば、周期的に、監視するように構成される。メッセージ３２を検出すると、ＡＴ接続マネージャ３８は、１つ以上のＡＴ固有コンテキスト２２を有するＡＴ固有接続３４を作成するための接続確立プロセスを開始するように構成される。
【００３３】
その上、幾つかの態様では、ＡＴ接続マネージャ３８は、新しいアクセスノードによってサービスされる新しいエリアにＡＴ１６が移動するとき、ネットワーク識別子１２を更新するように構成され得る。例えば、一態様では、ＡＴ接続マネージャ３８は、ネットワーク識別子１２を特定のＡＮ４２に関連付け得、従って、新しいサービングＡＮの通信構成要素から通知を受信すると、ＡＴ接続マネージャ３８は、更新されたネットワーク識別子を取得することと、更新されたネットワーク識別子を呼発信者ゲートウェイ構成要素１４に登録することとを行うための新しい接続確立プロセスを開始するようにトリガされ得る。
【００３４】
一態様では、１つ以上のネットワーク要素２０の各々又は何らかの組合せは、ＡＴ１６との、ネットワーク要素２０のうちの他のネットワーク要素との、又は呼発信者ゲートウェイ構成要素１４との、通信を確立するように構成されたネットワーク接続マネージャ構成要素５０を含み得る。
【００３５】
呼確立プロセス中に、各ネットワーク接続マネージャ５０は、対応するネットワークコンテキストマネージャ構成要素５２と協働して動作して、ワイヤレス通信ネットワーク１０とのアクティブな呼又はデータ接続中に使用するための、それぞれのネットワーク要素２０における１つ又は複数のＡＴ固有コンテキスト２２を確立し、維持し得る。
【００３６】
幾つかの態様では、ＡＴ１６とのアクティブな呼が存在しないときの登録後の期間中に、ネットワーク要素２０のうちの１つに位置する１つのネットワーク接続マネージャ５０は、対応するネットワークコンテキストマネージャ５２と協働して動作して、１つ以上のＡＴ固有コンテキスト２２の全部又は何らかの部分を削除しながらネットワーク識別子１２を維持し得る。例えば、呼発信者ゲートウェイ構成要素１４へのＡＴ１６の登録後に、全てのネットワークコンテキストマネージャ５２は、ネットワーク識別子１２に関連付けられたインターネットプロトコル（ＩＰ）関係のコンテキストを削除し得る。他の態様では、全てのネットワークコンテキストマネージャ５２は、ＩＰ関係のコンテキストと、ポイントツーポイントプロトコル（ＰＰＰ）コンテキストなどのデータリンクレイヤコンテキストとを削除し得る。更に他の態様では、全てのネットワークコンテキストマネージャ５２は、ＩＰ関係のコンテキストと、データリンクレイヤコンテキストと、限定はしないが高速パケットデータコンテキストなどの無線リンクレイヤコンテキストとを削除し得る。また、幾つかの態様では、ネットワーク接続マネージャ５０は、共通接続２４に関連するネットワーク識別子１２でアドレッシングされた通信を共通接続２４を介してダイレクトすることを知るために、ネットワーク識別子１２を維持し得る。
【００３７】
更に、登録後の期間中に、各ネットワーク接続マネージャ５０は、メッセージ３２を検出するために、共通接続２４、又は呼発信者ゲートウェイ構成要素１４への別個の接続を監視するように構成される。メッセージ３２を検出すると、それぞれのネットワーク接続マネージャ５０は、ＡＴ１６にＡＴ１６へのモバイル着信呼に気づかせるために、メッセージ３２の変換有りで又は無しで、メッセージ３２をネットワーク要素２０のうちの次の１つに又はＡＴ１６に送信するように構成される。幾つかの態様では、それぞれのネットワーク接続マネージャ５０は、メッセージ３２を特定のサブネット中のＡＴ１６にアドレッシングするためのユニキャストアクセス端末識別子（ＵＡＴＩ）などの端末識別子をネットワーク識別子１２の代わりに使用することによって、メッセージ３２を変換し得る。別の態様では、ネットワーク接続マネージャは、ＡＴを識別するための識別子としてＵＲＬを使用してＡＴをページングし得る。更に別の態様では、ネットワーク接続マネージャは、ＡＴを識別するための識別子としてＩＰアドレスを使用してＡＴをページングし得る。
【００３８】
その上、少なくとも１つのネットワーク要素２０は、ネットワーク識別子１２を生成するように構成されたアドレス生成器構成要素５４を含むか、又はそれと通信していることがある。例えば、アドレス生成器構成要素５４は、動的ホスト構成プロトコル（ＤＨＣＰ）を実行して、ＩＰアドレスの形態のネットワーク識別子１２を生成し得る。
【００３９】
一態様では、呼発信者ゲートウェイ構成要素１４は、各ＡＴ１６と対応するネットワーク識別子１２との間の関連付けを記憶するためのＡＴ識別子マネージャ構成要素５６を含み得る。更に、幾つかの態様では、ＡＴ識別子マネージャ５６は、更に、１つ以上のネットワーク要素２０、又は共通接続２４、又はＵＡＴＩなどの端末識別子、又はそれらの任意の組合せを、各ＡＴ１６及び対応するネットワーク識別子１２に関連付け得る。
【００４０】
一態様では、呼発信者ゲートウェイ構成要素１４は、それぞれのＡＴ１６へのモバイル着信呼６０（図示せず）を受信又は生成するように構成された呼マネージャ５８を含み得る。また、モバイル着信呼６０を検出又は生成することに基づいて、呼マネージャ５８は、モバイル着信呼６０をＡＴ１６に通知するためのメッセージ３２を生成することと、それにより、モバイル着信呼６０をサポートするためのＡＴ固有接続３４を開始するようにＡＴ１６をトリガすることとを行うように構成される。例えば、呼マネージャ５８は、ＡＴ識別子マネージャ５６と協働して動作して、それぞれのＡＴ１６に関連付けられたそれぞれのネットワーク識別子１２を取得し、また、ネットワーク識別子１２に基づいてワイヤレス通信ネットワーク１０上でメッセージをダイレクトし得る。例えば、幾つかの態様では、メッセージ３２はネットワーク識別子１２を含み得、他の態様では、呼マネージャ５８は、ネットワーク識別子１２をＵＡＴＩなどの端末識別子にマッピングし、端末識別子をメッセージ３２中に含め得る。
【００４１】
一例では、Ｍ２Ｍ使用事例において、本明細書で説明する機能は、ＡＴ１６上のＭ２Ｍクライアント構成要素、アプリケーション又はモジュールと、各ネットワーク要素２０上のＭ２Ｍネットワーク構成要素、アプリケーション又はモジュールと、Ｍ２Ｍサーバを含み得る、呼発信者ゲートウェイ構成要素１４上のＭ２Ｍサーバ構成要素、アプリケーション又はモジュールとによって実行又は管理され得る。
【００４２】
図２は、図１のワイヤレス通信ネットワークの１つ又は複数の構成要素を表す通信機器の例示的な概略図である。図２を参照すると、一態様では、（図１に示す）ＡＴ１６、ネットワーク要素２０、又は呼発信者ゲートウェイ構成要素１４のいずれか１つ又は任意の組合せが通信機器６０によって表され得る。通信機器６０は、本明細書で説明する構成要素及び機能のうちの１つ以上に関連する処理機能を実行するためのプロセッサ６２を含む。プロセッサ６２は、単一のプロセッサ、又はプロセッサ若しくはマルチコアプロセッサの複数のセットを含み得る。更に、プロセッサ６２は、統合処理システム及び／又は分散処理システムとして実装され得る。例えば、プロセッサ６２は、接続マネージャ、コンテンツマネージャ、アドレス生成器、ネットワーク識別子マネージャ、及び呼マネージャ構成要素に関して本明細書で説明する機能、或いは本明細書で説明する他の構成要素又は機能を実行するように構成された１つ以上の処理ユニットを含み得る。
【００４３】
一例では、通信機器６０は、プロセッサ６２によって実行されているアプリケーション又は構成要素のローカルバージョンを記憶するなどのためのメモリ６４を含む。メモリ６４は、ランダムアクセスメモリ（ＲＡＭ）、読取り専用メモリ（ＲＯＭ）、テープ、磁気ディスク、光ディスク、揮発性メモリ、不揮発性メモリ、又はそれらの任意の組合せなど、コンピュータが使用できるどんなタイプのメモリをも含み得る。例えば、メモリ６４は、説明する接続マネージャ、コンテンツマネージャ、アドレス生成器、ネットワーク識別子マネージャ、及び呼マネージャ構成要素、或いは本明細書で説明する他の構成要素又は機能のためのソフトウェア、コンピュータ実行可能コードなどのローカルバージョンを記憶し得る。
【００４４】
一態様では、通信機器６０は、本明細書で説明するように、ハードウェア、ソフトウェア、及び／又はサービスを利用して、１つ以上のエンティティ又は構成要素との通信を確立し、維持することを行う通信構成要素６６を含む。通信構成要素６６は、通信機器６０上の構成要素間、及び通信機器６０と、通信ネットワーク上に位置する機器及び／或いは通信機器６０に直列又はローカルに接続された機器などの外部機器との間の通信を伝え得る。例えば、通信構成要素６６は、１つ又は複数のバスを含み得、外部機器とインターフェースするように動作可能な、それぞれ送信機及び受信機、又はトランシーバに関連し、それらを含む、送信チェーン構成要素及び受信チェーン構成要素を更に含み得る。例えば、通信構成要素６６は、接続の確立又はリリース、コンテキストの確立又は削除、通知メッセージ又はページなどに関係する通信、或いは本明細書で説明する他の通信関係のメッセージを送信又は受信し得る。
【００４５】
一例では、通信機器６０は、データストア（データ記憶装置）６８を含み、データストア６８は、本明細書で説明する態様に関連して採用される情報、データベース、構成要素及び／又はプログラムの大容量ストレージを与えるためのハードウェア及び／又はソフトウェアの任意の適切な組合せであり得る。例えば、データストア６８は、プロセッサ６２によって現在実行されていないアプリケーション又は構成要素のためのデータリポジトリであり得る。例えば、データストア６８は、説明する接続マネージャ、コンテンツマネージャ、アドレス生成器、ネットワーク識別子マネージャ、及び呼マネージャ構成要素、或いは本明細書で説明する他の構成要素又は機能のためのソフトウェア、コンピュータ実行可能コードなどの大容量ストレージバージョンを含み得る。
【００４６】
通信機器６０は、通信機器６０のユーザから入力を受信するように動作可能であり、ユーザへの提示のための出力を生成するように更に動作可能な、ユーザインターフェース構成要素７０を含み得る。ユーザインターフェース構成要素７０は、限定はしないが、キーボード、ナンバーパッド、マウス、タッチセンシティブ表示器、ナビゲーションキー、ファンクションキー、マイクロフォン、ボイス認識構成要素、ユーザから入力を受信することが可能な他の機構、又はそれらの任意の組合せを含む、１つ以上の入力装置を含み得る。更に、ユーザインターフェース構成要素７０は、限定はしないが、表示器、スピーカー、触覚フィードバック機構、プリンタ、出力をユーザに提示することが可能な他の機構、又はそれらの任意の組合せを含む、１つ以上の出力装置を含み得る。一態様では、ユーザインターフェース構成要素７０は、ＡＴ、ネットワーク要素及び／又は呼発信者ゲートウェイ構成要素のうちのいずれかのユーザへの情報を受信及び提示するために、又は上記ユーザからの情報を受信及び送信するために利用され得る。
【００４７】
一例では、通信機器６０は、１つ以上の機能構成要素７２を含み得る。例えば、アクセス端末の態様では、機能構成要素７２は、ＡＴ接続マネージャ３８及び／又はＡＴコンテキストマネージャ４８の態様を含み得る。更に、例えば、ネットワーク要素の態様では、機能構成要素７２は、ネットワーク接続マネージャ５０、ネットワークコンテキストマネージャ５２、及び／又はアドレス生成器５４の態様を含み得る。更に、例えば、呼発信者ゲートウェイ構成要素の態様では、機能構成要素７２は、ＡＴ識別子マネージャ５６及び／又は呼マネージャ５８の態様を含み得る。
【００４８】
図３は、ワイヤレス通信ネットワークにおいて接続を確立するための例示的な流れ図３００である。ブロック３１０において、２つ以上のアクセス端末が使用する共通接続を（例えば、ネットワーク側通信要素間で）予約する。例えば、非限定的な一態様では、共通Ａ１０接続が、無線アクセスネットワーク（ＲＡＮ）要素とパケットデータ交換ノードとの間に確立され得、共通モバイルインターネットプロトコル（ＭＩＰ）トンネルが、パケットデータサービングノード（ＰＤＳＮ）と、限定はしないが、ホームエージェント（ＨＡ）、ローカルモビリティアンカー（ＬＭＡ）、呼発信者ゲートウェイ構成要素、又はそれらの任意の組合せなど、別のＩＰネットワーク側要素との間に確立され得る。そのような共通接続は、確立されたＡＴ固有コンテキストを有しないＡＴに関連付けられた通信のために予約され得る。別の態様では、無線アクセスネットワーク（ＲＡＮ）要素を、ホームエージェント、ローカルモビリティアンカー、呼発信者又はゲートウェイ、或いはそれらの任意の組合せなど、別のＩＰネットワーク側要素と直接接続し、それによりＰＤＳＮ要素をバイパスするために、ＩＰ−ｉｎ−ＩＰトンネルが確立され得る。一例では、共通接続は、ＡＮ、ＰＤＳＮ又は両方によって予約される。
【００４９】
ブロック３２０において、共通接続をワイヤレス通信ネットワーク中のアクセス端末に対応するネットワーク識別子に関連付ける。一例では、上記関連付けは、アクセス端末による登録セッションに基づく。一例では、ＡＴは、ワイヤレス通信ネットワーク中のＡＴを識別するためのネットワーク識別子を取得するために、無線リンクレイヤセッション、データリンクレイヤセッション及び／又はＩＰネットワークレイヤセッションを確立する。また、一例では、取得されたネットワーク識別子を、限定はしないが、呼発信者ゲートウェイ又はＭ２Ｍサーバのうちの１つ又は複数など、ＡＴに連絡することを望むエンティティに登録する。
【００５０】
ブロック３３０において、ネットワーク識別子を維持しながらアクセス端末（ＡＴ）のためのネットワーク識別子関係のコンテキストを削除する。１つの変形体では、アクセス端末（ＡＴ）に対応するインターネットプロトコル（ＩＰ）アドレスを維持しながらアクセス端末のためのＩＰ関係のコンテキスト及びＰＰＰコンテキストを削除する。一例では、ＡＴは登録セッションに関連付けられる。例えば、ネットワークリソースを温存するために、１つ以上のネットワークエンティティにおいて少なくともＩＰ関係のコンテキストが削除される。他の態様では、ＰＰＰセッション（例えば、データリンクレイヤセッション）とＩＰネットワークレイヤセッションとに対応する複数のＡＴ固有コンテキストが削除される。更に別の態様では、全てのＡＴ固有コンテキストが削除される。一例では、ネットワーク識別子はＩＰアドレス又はユニバーサルリソースロケータ（ＵＲＬ）である。
【００５１】
ブロック３４０において、アクセス端末（ＡＴ）への呼に基づいて、共通接続を介して、及びアクセス端末（ＡＴ）に対応するネットワーク識別子に基づいて、メッセージを送信する。一例では、ネットワーク識別子に基づいてウェイクアップメッセージがＡＴに送信される。例えば、アクセスノードは、エアインターフェースにおいてＩＰアドレスを使用してＡＴをページングし得る。更に別の態様では、ウェイクアップメッセージは、ネットワーク識別子、並びにＡＴへの経路におけるネットワーク要素のネットワーク固有アドレスを識別する、階層メッセージであり得る。別の例では、上記メッセージはネットワーク識別子を含み得、１つ以上のネットワーク要素は、それぞれのネットワーク要素がネットワーク識別子をユニキャストアクセス端末識別子（ＵＡＴＩ）などの機器固有識別子に変換することを可能にするマッピングを含み得る。更に他の態様では、第１のホップネットワーク要素は、例えば、ホームエージェント、ローカルモビリティアンカー、呼発信者ゲートウェイ構成要素、ゲートウェイ、又はそれらの任意の組合せ、又はＭ２Ｍサーバから、ＡＴへの経路上の第１のネットワーク要素は、上記メッセージが機器固有識別子を用いて初めに送信され得るようなマッピングを含み得る。
【００５２】
ブロック３５０において、上記メッセージに対する応答に基づいて、上記呼を搬送するためのアクセス端末（ＡＴ）に対応する固有の接続を確立する。一例では、上記メッセージに対する応答に基づいて、上記呼を搬送するためのＡＴに対応するネットワーク識別子のための固有の接続及びコンテキストを確立する。例えば、ネットワーク要素は、ＡＴと通信して、モバイル又はＡＴ着信呼を搬送するための接続を定義する無線リンクレイヤ、データリンクレイヤ及び／又はＩＰネットワークレイヤセッションなど、ＡＴ固有セッションを確立し得る。一例では、流れ図３００は、限定はしないが、ウェイクアップメッセージ、ページ又は階層メッセージなど、上記メッセージのための階層ＩＰアドレスを構築することを更に含む。また、例えば、上記ページは、ネットワーク識別子としてＩＰアドレス、ユニバーサルリソースロケータ（ＵＲＬ）又はネットワークアドレス識別子（ＮＡＩ）を用いたエアインターフェースページングを使用し得る。一例では、上記固有の接続はＡＮによって確立される。
【００５３】
一例では、流れ図３００は、上記メッセージのデータパケットヘッダ中のＩＰアドレスからユニキャストアクセス端末識別子（ＵＡＴＩ）を導出することを更に含む。
【００５４】
図４は、アクセス端末（ＡＴ）において接続を確立するための例示的な流れ図４００である。ブロック４１０において、通信ネットワークとの登録セッションを行う。一例では、通信ネットワークはワイヤレス通信ネットワークである。ＡＴは、１つ以上のネットワーク要素と通信して、通信ネットワークとの接続を定義する無線リンクレイヤ、データリンクレイヤ及び／又はＩＰネットワークレイヤセッションなど、ＡＴ固有セッションを確立し得る。
【００５５】
ブロック４２０において、登録セッションに基づいて通信ネットワーク中のアクセス端末に対応するネットワーク識別子を取得する。確立された接続に基づいて、ＡＴは、通信がＡＴにアドレッシングされることを可能にするために、通信ネットワーク中のＡＴを識別する、ＩＰアドレス、又はＵＲＬなど、ネットワーク識別子を取得し得る。ネットワーク識別子を取得した後に、ＡＴは、ホームエージェント、ローカルモビリティアンカー、呼発信者又はゲートウェイ、Ｍ２Ｍサーバ又はＭ２Ｍゲートウェイ、或いはそれらの任意の組合せなど、ＡＴに連絡することを望むいずれかのエンティティへのネットワーク識別子の登録を開始し得る。
【００５６】
ブロック４３０において、ネットワーク識別子を維持しながらアクセス端末（ＡＴ）のためのネットワーク識別子関係のコンテキストを削除する。１つの変形体では、インターネットプロトコル（ＩＰ）アドレスを維持しながらアクセス端末（ＡＴ）のためのＩＰ関係のコンテキストを削除する。一例では、ＡＴは登録セッションに関連付けられる。ＡＴ（及びネットワーク）リソースを温存するために、一態様では、少なくともＩＰ関係のコンテキストが削除される。他の態様では、ＰＰＰセッション（例えば、データリンクレイヤセッション）とＩＰネットワークレイヤセッションとに対応する複数のＡＴ固有コンテキストが削除される。更に別の態様では、全てのＡＴ固有コンテキストが削除される。
【００５７】
ブロック４４０において、アクセス端末（ＡＴ）に宛てられた呼を示すメッセージを受信する。一例では、上記メッセージはウェイクアップメッセージを含み得る。一例では、呼は通信のためのセッションである。ブロック４５０において、上記メッセージに基づいて、上記呼を搬送するためのアクセス端末に対応する固有の接続を確立する。一例では、上記固有の接続は上記メッセージに基づいて確立される。一態様では、上記接続は、ＡＴ固有接続、及び対応するセッション／コンテキストを含み得る。
【００５８】
本開示によれば、マシンツーマシン（Ｍ２Ｍ）サービスのための幾つかの考えられるデータ転送モデルが使用され得る。本明細書で開示する例示的なモデルは排他的なものではないことと、本開示の趣旨及び範囲に影響を及ぼすことなく他のモデルが使用され得ることとを、当業者なら理解されよう。第１の例では、モデルは、「プッシュ」データ又はサーバ要求がない、ＡＴ主導型データ転送のみを含む。例えば、第１の例示的なモデルは、毎月動作するメーター示度報告生成器などの機器主導型報告機器を含み得る。第２の例では、モデルは、ワイヤレスネットワークからの「プッシュ」サービス及びサービス要求がある、ＡＴ主導型データ転送とネットワーク主導型データ転送の両方を含む。一態様では、第２の例示的なモデルでは、数秒から数分程度の応答時間が許容でき得る場合、応答時間はあまり重要でないことがある。例えば、第２の例示的なモデルは、ホーム機器（例えば、加熱器、空気調節など）のスマートグリッド制御など、データ間隔間時間が大きい（例えば、数時間又は数日程度）場合を含み得る。第３の例示的なモデルでは、第２の例示的なモデルの場合のようにＡＴ主導型データ転送とネットワーク主導型データ転送の両方があり得、ただし、時間的制約がより多く、データ間隔間時間がより短い（例えば、数分程度）。例えば、第３の例示的なモデルは、病状を監視するための医療機器を含み得る。
【００５９】
図５に、アクセス端末（ＡＴ）と、アクセスノード（ＡＮ）と、パケットデータサービングノード（ＰＤＳＮ）と、ホームエージェント／ローカルモビリティエージェント（ＨＡ／ＬＭＡ）とを用いた従来技術のモバイル着信データ呼の一例を示す。ＡＴに到達しようとする存続期間（lifetime）全体にわたってＡＴ固有コンテキストがＡＮ、ＰＤＳＮ及びＨＡ／ＬＭＡにおいて維持される。例えば、高速パケットデータ（ＨＲＰＤ）セッションがＡＴとＡＮとの間で維持され得、ポイントツーポイントプロトコル（ＰＰＰ）セッションがＡＴとＰＤＳＮとの間で維持され得、ＩＰセッションがＡＴとＨＡ／ＬＭＡとの間で維持され得る。
【００６０】
一態様では、マシンツーマシン（Ｍ２Ｍ）機器のための使用事例は、ボイスオーバＩＰ（ＶｏＩＰ）呼、電子メールプッシュなどの、現在の機器のための使用事例とは異なる動作概念を提示する。一例では、現在の機器の使用事例は、ネットワークリソース需要がより高い場合、うまくスケーリングしない。表１で、２つの使用事例について動作概念の差を比較する。
【表１】
0005529338.tif 000002
【００６１】
図６に、アクセス端末（ＡＴ）と、アクセスノード（ＡＮ）と、パケットデータサービングノード（ＰＤＳＮ）と、ホームエージェント／ローカルモビリティエージェント（ＨＡ／ＬＭＡ）と、マシンツーマシン（Ｍ２Ｍ）サーバと、許可−認証−アカウンティング（ＡＡＡ）モジュールと、ポリシー課金及びルール機能（ＰＣＲＦ：policy charging and rules function）ユニットとを用いた現在のデータセッションモデルの一例を示す。他の構成要素が含まれ得ること、或いは図示する構成要素の一部は、本開示の趣旨及び範囲に影響を及ぼすことなく、別のデータセッションモデルでは必要でないか又は使用されないことがあることを、当業者なら理解されよう。一態様では、全データセッション（即ち、ＡＴが到達可能である期間）全体にわたってＡＴ毎コンテキストが様々なネットワーク要素の間で割り振られ、維持される。例えば、呼間隔間時間が極めて長いとき、及び応答時間があまり重要でないとき、ＡＴ毎コンテキストを維持することは非効率的であり得る。一例では、ＡＴ固有コンテキストを用いた現在のデータセッションモデルは、この非効率のため、うまくスケーリングしないことがある。
【００６２】
別の態様では、Ｍ２Ｍサービスについての幾つかの望ましい要件があり得る。例えば、ＡＴ１６がアクティブなデータセッション中にないとき、ネットワーク要素において最小のＡＴ毎コンテキスト情報を保つことが望ましいことがある。例えば、ワイヤレスアグリゲーションポイントの使用について、呼発信者ゲートウェイ構成要素又はＭ２Ｍサーバによってアドレッシング可能な複数のＭ２Ｍ機器が、Ｍ２Ｍサーバと通信するためのバックホールとして単一のワイヤレス機器又はＡＴを共有することを可能にすることが望ましいことがある。一例では、Ｍ２Ｍサーバは、ワイヤレスアグリゲーションポイントに対して透過的なＭ２Ｍ機器を直接アドレッシングすることが可能であり得る。例えば、インターネットプロトコルバージョン６（ＩＰｖ６）とインターネットプロトコルバージョン４（ＩＰｖ４）の両方をサポートすることが望ましいことがある。Ｍ２Ｍ機器のためにＩＰｖ６のみを使用することが望ましいことがあるが、ＩＰｖ４とＩＰｖ６の両方のアドレッシングが許されることがある。
【００６３】
図７に、２つの異なるデータセッションモデルオプションがあるＭ２Ｍサービスのための例示的なデータセッションモデルを示す。第１のモデルオプション（オプション１）では、ＡＴ毎コンテキストがＡＴ、ＡＮ及びＭ２Ｍサーバにおいてのみ割り振られ、ＰＰＰセッションが維持されない。一例では、ＡＮは、ウェイクアップメッセージモードでＩＰアドレスを使用して、ユニキャストアクセス端末識別子（ＵＡＴＩ）を導出する。例えば、ＰＤＳＮは、Ａ１０属性としてＡＴのＩＰアドレス又はユニキャストアクセス端末識別子（ＵＡＴＩ）をＡＮに送る。一態様では、Ａ１０属性はインターフェースパラメータである。別の態様では、共通Ａ１０／モバイルＩＰトンネルがウェイクアップメッセージのために予約される。
【００６４】
オプション１では、（図１に示す）ＡＴ毎コンテキスト２２が、ＡＴ１６、ＡＮ４２及び（この場合、Ｍ２Ｍサーバとしても知られる）呼発信者ゲートウェイ構成要素１４においてのみ割当てられる。例えば、ＰＰＰセッションは維持されないが、無線リンクレイヤ、例えばＨＲＰＤセッションは維持される。例えば、ＡＮ４２は、（ウェイクアップメッセージなどの）メッセージ３２中のネットワーク識別子１２（例えば、ＩＰアドレス）を使用して、ＡＴ１６のユニキャストアクセス端末識別子（ＵＡＴＩ）を導出する。例えば、ＰＤＳＮ４４は、ネットワーク識別子１２を（例えば、Ａ１０メッセージ属性としてＡＴ１６のＩＰアドレスをＡＮ４２に）送る。更に、メッセージ３２のためにワイヤレス通信ネットワーク１０において共通接続２４が予約され得る。例えば、共通接続２４は、ＡＮ４２とＰＤＳＮ４４との間のＡ１０接続、及びＰＤＳＮ４４とモビリティ要素４６（例えば、ホームエージェント／ローカルモビリティエージェント（ＨＡ／ＬＭＡ））との間のモバイルＩＰ（ＭＩＰ）トンネルを含み得る。
【００６５】
一例では、以下の７つのステップがオプション１を要約する。ステップ１〜３は、ＩＰアドレスを取得することと、そのＩＰアドレスをＭ２Ｍサーバ／ゲートウェイに登録することとを行うための、ＡＴのためのデータセッション登録に関係する。ステップ４〜７は、ＡＴ着信データ呼又は接続を確立することに関係する。
【００６６】
１．  ＡＴが（例えば電源投入時に）データセッションを開始し、ＨＲＰＤセッション及びＰＰＰセッションがセットアップされ、その後にＩＰアドレス割振りが続く。
【００６７】
２．  割当てられたＩＰアドレスがＭ２Ｍサーバに登録される
３．  ＰＰＰセッションがクローズされ、ＩＰアドレスがＡＴ及びＭ２Ｍサーバにおいて維持される。ＰＰＰセッションに関連付けられていたＩＰアドレスは、次に共通ＭＩＰトンネルと「共通Ａ１０」とに関連付けられる。ＡＮが、そのＩＰアドレスを、エアインターフェースにおいて使用されるべきＵＡＴＩにマッピングする。
【００６８】
４．  Ｍ２Ｍサーバが、ステップ１において割当てられたＩＰアドレスを用いてウェイクアップメッセージをＡＴに送り、そのメッセージを送るために共通ＭＩＰトンネルが使用される
５．  ＰＳＤＮが「共通Ａ１０」を使用してウェイクアップメッセージをＡＮに送る
６．  ＡＮが、ＩＰアドレスを使用して、ユニキャストアクセス端末識別子（ＵＡＴＩ）を導出し、ＡＴをページングする
７．  ＡＴがＰＰＰセッションをセットアップし、データ転送が開始する
一態様では、ステップ１において、ＡＴは、例えば、電源投入時に、データセッション（例えば、接続）を開始し、無線リンクレイヤコンテキスト（例えば、ＨＲＰＤコンテキスト）と、データレイヤリンク及びＩＰレイヤコンテンツ（例えば、ＰＰＰコンテキスト）とを含むＡＴ固有コンテキストを確立する。また、ステップ１において、ネットワーク識別子１２（例えば、ＩＰアドレス）が取得される。ステップ２において、ネットワーク識別子１２はＭ２Ｍサーバに登録される。ステップ３において、ＰＰＰセッションがクローズされ、それにより、ＡＴ１６及びＭ２Ｍサーバにおいてネットワーク識別子１２を維持しながら、並びに無線リンクレイヤＡＴ固有コンテキスト（例えば、ＨＲＰＤコンテキスト）を維持しながら、対応するＡＴ固有コンテキストが削除される
ステップ４において、Ｍ２Ｍサーバは、共通接続２４（例えば、ＭＩＰトンネル）を介してネットワーク識別子１２（例えば、ＩＰアドレス）を使用してメッセージ３２（例えば、ウェイクアップメッセージ）をＡＴ１６に送る。ステップ５において、ＰＤＳＮ４４は、共通接続２４（例えば、Ａ１０接続）を使用してメッセージ３２をＡＮ４２に送る。ステップ６において、ＡＮ４２は、メッセージ３２中のネットワーク識別子１２（例えば、ＩＰアドレス）を使用して、ＡＴ１６のユニキャストアクセス端末識別子（ＵＡＴＩ）を導出し、ＡＴ１６をページングする。一例では、ＵＡＴＩは、ＡＮ４２において維持されるネットワーク識別子と端末識別子とのマッピングに基づいて導出される。ステップ７において、ＡＴ１６は、ＡＴ着信呼をサポートするための、ＡＴ固有コンテキストを有する固有の接続（例えば、ＰＰＰセッション）を確立する。この後に、データ転送が続く。
【００６９】
図８に、ウェイクアップメッセージのための識別子を導出するための３つの異なるフォーマットの例を示す。３つのフォーマットのうちのいずれも、ウェイクアップメッセージをＡＴにダイレクトするために使用され得る。例えば、オプション１ａでは、ウェイクアップメッセージは、図示のように複数のフィールドをもつ階層フォーマットを含む。上記識別子は、機器のロケーションと無線レベル識別子とに基づいて暗黙的に導出され得る。オプション１ａは、いずれかのネットワーク要素が、あるネットワーク識別子を別のネットワーク識別子に関連付けるマッピングを維持する必要を、回避する。別の例では、オプション１ｂは、ユニキャストアクセス端末識別子（ＵＡＴＩ）とのＩＰアドレスのマッピングがＡＮにおいて維持される機構を含む。別の例では、オプション１ｃは、ＵＡＴＩとのＩＰアドレスのマッピングがＰＤＳＮにおいて維持される機構を含む。
【００７０】
一態様では、オプション１ａは、ＡＴのためのアドレス割振りプロシージャを使用するＩＰｖ６モードを使用する。一例では、上記割振りプロシージャは、ＩＰアドレスフィールドにおける以下の情報を含む、ＩＰｖ６アドレッシング方式におけるフォーマットを定義する。
【００７１】
・  ＩＰｖ６プレフィックス（ｘビット）：ＰＤＳＮを識別する
・  ＡＮ  ＩＤ：ｙビット
・  ＡＮカラーコード：８ビット
・  ＡＮ  ＵＡＴＩ：２４ビット
一例では、ｘ＝６４ビットであり（例えばＩＰｖ６／６４プレフィックス）、ｙ＝３２ビットである（例えばＡＮ  ＩＤ＝ＡＮ  ＩＰｖ４アドレス）。別の例では、１ｘ／ＵＭＴＳシステムについて、ＵＡＴＩの代わりに国際モバイル加入者識別情報（ＩＭＳＩ）又は一時的モバイル加入者識別情報（ＴＭＳＩ）が使用され得る。別の態様では、ウェイクアップメッセージのルーティングについて、Ｍ２ＭサーバはＩＰｖ６プレフィックスに基づいて（例えば、シンプルＩＰを使用して）ＰＤＳＮに送る。ＰＤＳＮは、ＡＮ  ＩＤに基づいてＡ１０パケットをＡＮに送る（例えば、Ａ１０パケットは汎用ルーティングカプセル化（ＧＲＥ：generic routing encapsulation）属性においてカラーコード＋ＵＡＴＩを含んでいる）。一例では、ＡＮは、カラーコード＋ＵＡＴＩを使用して、ＡＴをページングする。
【００７２】
一態様では、オプション１ｂは、（ＡＮにおける）ＵＡＴＩとのＩＰアドレスのマッピングを使用する。一例では、オプション１ｂは、ＩＰｖ４及び／又はＩＰｖ６のいずれかのアドレスを使用し得る。別の例では、オプション１ｂは、シンプルＩＰ、プロキシモバイルＩＰ（ＰＭＩＰ）又はクライアントモバイルＩＰ（ＣＭＩＰ）を使用し得る。一態様では、データセッション登録プロシージャは、以下の特徴のうちの１つ以上を含む。
【００７３】
・  ＡＴ（即ち、ワイヤレス機器）のために、パケットデータサービングノード（ＰＤＳＮ）によって（シンプルＩＰの場合）、又はローカルモビリティアンカー（ＬＭＡ）によって（ＰＭＩＰの場合）、又はホームエージェント（ＨＡ）によって（クライアントモバイルＩＰの場合）、一意のＩＰｖ６プレフィックス／ＩＰｖ４アドレスが割り当てられる
・  ＩＰｖ４アドレスの場合、ＩＰｖ４アドレス空間を節約するためにプライベートＩＰｖ４アドレスが割り振られ得る。例えば、プライベートＩＰｖ４アドレスが使用される場合、プライベートＩＰアドレスをパブリックＩＰアドレス＋ポート番号に変換するためにネットワークアドレス変換（ＮＡＴ）がＰＤＳＮ／ＬＭＡ／ＨＡにおいて使用される
・  ＰＤＳＮが、ＡＴのＩＰｖ６プレフィックス／ＩＰｖ４アドレスを、ＡＴがそれに関連付けられるＡＮにマッピングする、エントリを追加する
・  ＰＤＳＮが、Ａ１１セッション更新においてＡＴ  ＩＰアドレスをＡＮに送り、ＡＮが、ＡＰ  ＩＰｖ６プレフィックス／ＩＰｖ４アドレスをＡＴのＵＡＴＩにマッピングする、マッピングエントリを追加する
・  ＡＴが、ＩＰｖ６アドレス又はＩＰｖ４＋ポート番号を使用してＭ２ＭサーバとともにＭ２Ｍ登録を実行する
・  ＰＰＰセッションがクローズされ、割当てられたＩＰアドレスが保持される
一態様では、ＰＰＰ接続がクローズされた後でもＩＰアドレスを保存するためのオプションは以下のとおりである。（１）Ｍ２ＭゲートウェイがＨＡ／ＬＭＡと統合され、ＩＰアドレスを保存／リリースするためにＭ２Ｍ登録／登録解除が使用される。（２）Ｍ２Ｍゲートウェイが、Ｍ２Ｍ機器のためのＩＰアドレスＭ２Ｍを割り当てるために動的ホスト構成プロトコル（ＤＨＣＰ）サーバをホスティングし、一例では、ＰＤＳＮ／ＨＡ／ＬＭＡは、ＰＰＰセッションセットアップ／アドレス割振りプロシージャがＭ２Ｍ機器によって実行されるとき、ＩＰアドレスを取得するためにＭ２Ｍゲートウェイに連絡する。（３）ＰＤＳＮ／ＨＡは、ＩＰアドレスがリリースされるべきでないことを許可−認証−アカウンティング（ＡＡＡ）モジュールに示す。別の態様では、ドメインネームシステム（ＤＮＳ）サーバが、依然として、ＩＰアドレスマッピングのためのエントリを維持する。
【００７４】
別の例では、ＡＴ着信データ呼について、ウェイクアップメッセージのルーティングは以下のうちの１つ以上を含み得る。
【００７５】
・  シンプルＩＰ／ＰＭＩＰ／ＣＭＩＰの場合、Ｍ２ＭサーバがウェイクアップメッセージをＰＤＳＮ／ＬＭＡ／ＨＡに送る（即ち、ＰＭＩＰ／ＣＭＩＰの場合、ＬＭＡ／ＨＡが「共通ＭＩＰトンネル」を使用してそのメッセージをＰＤＳＮにルーティングする）
・  ＰＤＳＮが、「ＩＰアドレスと共通Ａ１０とのマッピング」に基づいてウェイクアップメッセージを適切なＡＮにルーティングする
・  ＰＤＳＮが、Ａ１０属性においてＡＴのＩＰアドレスを送った場合、ＡＮは、マッピングするためにＡ１０属性において送られたＡＴのＩＰアドレスをＡＴのユニキャストアクセス端末識別子（ＵＡＴＩ）にマッピングする
・  ＡＮがＵＡＴＩを使用してＡＴをページングする
別の態様では、ＩＰｖ６アドレスの場合、（６４ビットの）ＩＰｖ６プレフィックスがＡＴに割り当てられる。ワイヤレス機器又はＡＴ、例えばワイヤレスアグリゲーションポイントに接続された各Ｍ２Ｍ機器について一意のインターフェースＩＤが生成される。一例では、Ｍ２Ｍ機器は、Ｍ２Ｍ登録のためにフルＩＰｖ６アドレス（即ち、ＡＴのプレフィックス＋一意のインターフェースＩＤ）を使用する。別の態様では、ＩＰｖ４アドレスの場合、ＩＰアドレス空間を温存するためにプライベートＩＰアドレスが使用され得る。一例では、ＡＴは、ネットワークアドレス変換（ＮＡＴ）機能を含むか又はそれにアクセスし、ＩＰアドレスとポート番号の両方が機器登録のためにＭ２Ｍサーバによって使用される。
【００７６】
別の態様では、データセッション登録プロシージャについて、機能は、以下の差を除いて、前に説明したものと同様であり得る。
【００７７】
・  ＡＮが、ＰＰＰセッションセットアップ中にＡＴの１２８ビットＵＡＴＩをＰＤＳＮに送る（例えば、１２８ビットＵＡＴＩはＡＮ識別情報をも有することになる）
・  ＰＤＳＮが、ＵＡＴＩとＩＰアドレスとのマッピングを保つ
別の態様では、ＡＴ着信データ呼（ウェイクアップメッセージのルーティング）について、機能は、以下の差を除いて、前に説明したものと同様であり得る。
【００７８】
・  ＰＤＳＮが、「ＩＰアドレスとＵＡＴＩとのマッピング」に基づいてウェイクアップメッセージを適切なＡＮにルーティングする
・  ＰＤＳＮが、Ａ１０属性におけるＵＡＴＩをＡＮに送り、ＵＡＴＩは、ＡＴをページングするためにＡＮによって使用される
図９に、ＰＭＩＰｖ６を使用したデータ登録のオプション１の例示的なシーケンス図を示す。図９は、アクセス端末（ＡＴ）と、アクセスノード（ＡＮ）と、パケットデータサービングノード（ＰＤＳＮ）と、ローカルモビリティエージェント（ＬＭＡ）との間のプロセス及びシグナリング交換を示している。別の態様では、共通Ａ１０／ＭＩＰトンネルが、ＡＴへのウェイクアップメッセージのために予約される。
【００７９】
オプション１によるデータセッション登録の一例は、ＡＴ１６（図１参照）と、ＡＮ４２と、ＰＤＳＮ４４と、ＨＡ／ＬＭＡ４６との間で交換される様々なアクション又はメッセージを含む。ステップ１において、共通接続２４がメッセージ３２のために予約される。ステップ２において、無線リンクレイヤセッション及び対応するＡＴ固有コンテキストが確立される。ステップ３〜８において、データリンクレイヤセッション及びＩＰネットワークレイヤセッション及び対応するＡＴ固有コンテキストが（例えば、ＰＰＰセッションセットアップにおいて）確立される。ステップ３において、「ＳＮ−ｓｔｒ」という用語は、パケットデータサービスネットワーク宛てのＨＲＰＤストリームを表す。ステップ５において、ネットワーク識別子（例えば、ＩＰアドレス）を共通接続２４に関連付けることと、ＰＰＰセッションがリリースされる場合でもネットワーク識別子を維持することとをネットワーク要素に示すために、特殊インジケータ（例えば、特殊ネットワークアドレス識別子（ＮＡＩ）又は特殊シグナリングオプション）が利用される。また、ステップ８において、ＰＢＵ／ＰＢＡは、プロキシバインディング更新（proxy binding update）／プロキシバインディング確認（proxy binding acknowledgement）を表す。従って、ステップ９及び１０において、ＰＤＳＮ及びＨＡ／ＬＭＡは、ネットワーク識別子を、それぞれ、それらの対応する共通接続２４に（例えば、それぞれ、共通Ａ１０接続及び共通ＭＩＰトンネルに）関連付ける。場合によっては、オプション１ｂに関して、ステップ１１において、ネットワーク識別子を更新するためにセッション更新メッセージが使用され、その結果、ステップ１２において、ＡＮは、ネットワーク識別子をＵＡＴＩなどの端末識別子にマッピングする。ステップ１３において、ＡＴ固有ＰＰＰセッション及びＭＩＰトンネルがリリースされ、従ってネットワークリソースが解放される。
【００８０】
オプション１に従ってＡＴ着信呼を搬送するための接続を確立することの一例は、ＨＡ／ＬＭＡがメッセージ３２（例えば、ウェイクアップメッセージ）を受信する、ステップ１４を含み、ステップ１５及び１６において、メッセージ３２は共通接続２４（例えば、共通ＭＩＰトンネル及び共通Ａ１０接続）上で送信される。更に、ステップ１８において、ＡＮ４２はＡＴ１６をページングする。また、ステップ１７は、場合によってはオプション１ｂの機構を用いて行われ得、しかもまた、場合によっては、ＰＤＳＮ４４は、オプション１ｃの機構を用いてステップ１６とステップ１７との間でネットワーク識別子を端末識別子にマッピングし得る。更に、各ネットワーク要素（例えば、ＡＮ４２、ＰＤＳＮ４４、ＨＡ／ＬＭＡ４６）が複数のＡＴ１６及び／又はＭ２Ｍ機器をサポートし得ることを理解されたい。従って、各ネットワーク要素は、受信したメッセージ中のアドレスを次のネットワーク要素に相関させるマッピングを有し得、それにより、各ネットワーク要素は、そのメッセージがどの次のネットワーク要素に送信されるべきかを判断することが可能になり得る。
【００８１】
ステップ１９〜２１に進むと、上記ページに基づいて、ＡＴ１６は、対応するＡＴ固有コンテキストを有するＡＴ固有接続を確立することを開始し、ステップ２２においてデータ転送が実行される。その後、ステップ２３では、ステップ１３までフローを戻り、ＡＴ固有ＰＰＰセッション及びＭＩＰトンネルがリリースされ、ネットワークリソースが解放される。
【００８２】
一例では、モビリティ（例えば、ＡＮ間モビリティ）について、ターゲットＡＮ及びＰＤＳＮがコンテキストセットアップを含み得る。ＡＴは、新しいサブネットに移動するとき、ＨＲＰＤ／ＰＰＰセッションをセットアップし得る。例えば、ＡＮカバレージのエッジにあるとき、新しいターゲット上でのセットアップ間のピンポン効果を回避するために、タイマーが、ＰＤＳＮによって定義され、ＩＰ制御プロトコルベンダー固有オプション（ＩＰＣＰ  ＶＳＯ：IP control protocol vendor specific option）又はＬＣＰベンダー固有パケット又はいずれかのリンクレイヤシグナリングを介して通信され得る。別の例では、ソースＡＮ及びＰＤＳＮがクリーンアッププロシージャを含み得る。例えば、ＡＮのためのコンテキストクリーンアップがあり得、その場合、ＡＮ間ハンドオフ中に、ＰＤＳＮが、（ＩＰアドレスエントリが記憶されている場合）ＩＰアドレスエントリをクリーンアップするためにＡ１１セッション更新メッセージを古いＡＮに送る。例えば、ＰＤＳＮのためのコンテキストクリーンアップがあり得、これは、タイマーベースであり得、ＩＰｖ６アドレスの関連付けを解除するために（共通トンネル上の）基本レートインターフェース（ＢＲＩ）を使用し得、及び／又はＡＴがＨＲＰＤセッションをクローズし、ＡＴが新しいＰＤＳＮにおいて新しいＡＮに移動するときにＡＮによってＡ１０／Ａ１１接続を削除し得る。
【００８３】
例えば、Ｍ２Ｍサービス登録解除について、Ｍ２Ｍサーバからの登録解除後にＩＰアドレスがリリースされ得る。例えば、Ｍ２Ｍサーバ主導型登録解除では、Ｍ２Ｍサーバからの登録解除後にＩＰアドレスがリリースされ得る。一例では、Ｍ２Ｍサーバ主導型登録解除について、Ｍ２Ｍサーバ又はローカルモビリティアンカー（ＬＭＡ）は、ＩＰアドレスのリリースを開始するために共通ＭＩＰ／Ａ１０トンネルを使用してＭ２Ｍ：登録解除メッセージをＡＴに送り得る。別の例では、ＡＴ主導型登録解除について、ＡＴ中のＭ２Ｍクライアントアプリケーションが、登録解除するためにＭ２Ｍサーバにシグナリングし得、ＩＰアドレスリリースプロシージャが実行され得る（例えば、新しいＶＳＯをＩＰ制御プロトコル（ＩＰＣＰ）中に追加し、新しい情報要素をプロキシバインディング更新／プロキシバインディング確認（ＰＢＵ／ＰＢＡ）メッセージ中に追加する）。
【００８４】
一態様では、オプション１は、モビリティの考慮事項、例えば、ＡＮ間モビリティ及びＭ２Ｍサーバ登録解除の考慮事項を含み得る。ＡＴ１６は、ターゲットＡＮによってサービスされる新しいエリア又はサブネット中に移動するとき、ターゲットＡＮ及びＰＤＳＮ上で新しいコンテキストセットアップを開始するように構成され得る。一態様では、ＡＴ又はＡＮは、ＡＴが２つのＡＮのカバレージエリアのエッジにあるときなどに、新しいターゲットセットアッププロシージャを開始するのを繰り返すことを回避するために、ＰＤＳＮによって定義され得るタイマーを備え得る。更に、ＰＤＳＮなど、要素のうちの１つ又は複数は、ＡＮコンテキストクリーンアップ機能を含み得る。例えば、ＡＮ間ハンドオフプロシージャ中に、ＰＤＳＮは、ネットワーク識別子がＡＮによって記憶されている場合、ネットワーク識別子のクリーンアップ又は削除をトリガするためにセッション更新メッセージを古いＡＮに送り得る。更に、１つ以上のネットワーク要素は、ＰＤＳＮコンテキストクリーンアップ機能を含み得る。例えば、ＰＤＳＮコンテキストクリーンアップは、（例えば、ＡＴ呼アクティビティがない）ある時間期間後にクリーンアッププロシージャが自動的に開始されるように、タイマーベースであり得る。ネットワーク識別子（例えば、ＩＰｖ６アドレス）の関連付けを解除するためにバインディング取消しメッセージ（例えば、基本レートインターフェース（ＢＲＩ））が（例えば、共通トンネル上で）送られ得る。更に、ＡＴが、無線リンクレイヤセッション（例えば、ＨＲＰＤセッション）をクローズし、新しいＰＤＳＮにおける新しいＡＮに移動するとき、ＡＮはＰＤＳＮコンテキスト削除（例えば、Ａ１０／Ａ１１削除）を実行し得る。
【００８５】
Ｍ２Ｍサーバ登録解除機能は、Ｍ２ＭサーバからのＡＴ登録解除後にネットワーク識別子（例えば、ＩＰアドレス）をリリースする。一態様では、登録解除はＭ２Ｍサーバ主導型であり得る。別の態様では、登録解除はＡＴ主導型であり得る。Ｍ２Ｍ登録解除のときに、機器に関連付けられたＩＰアドレスは削除される。
【００８６】
一例では、エアインターフェースについて、より大きいスリープ持続時間をオプションとして可能にするための新しいページングサイクルがあり得る。相互運用性仕様（ＩＯＳ：interoperability specification）について、ａ）専用共通Ａ１０インターフェースがあり得、ｂ）ＡＴのＩＰアドレス又はＵＡＴＩを含む、新しいＡ１０属性があり得（例えば、オプション１ａ、１ｂ又は１ｃの場合）、ｃ）ＡＴのためのＵＡＴＩに関してＰＤＳＮを更新するための追加された（ＡＮからＰＤＳＮへの）Ａ１１シグナリングがあり得（オプション１ｃの場合）、及び／或いはｄ）ＡＴのＩＰアドレスに関してＡＮを更新するための追加された（ＰＤＳＮからＡＮへの）Ａ１１シグナリングがあり得る。別の例では、ＰＤＳＮについて、専用ＭＩＰトンネル、専用Ａ１０接続、特殊ネットワークアクセス識別子（ＮＡＩ）（オプション）、及び／又はＡＮ間境界におけるピンポン効果を回避するためにヒステリシスタイマーを受け渡すためのＩＰＣＰ中のベンダー固有オプションがあり得る。別の例では、ローカルモビリティアンカー（ＬＭＡ）について、ＬＭＡと統合されたＭ２Ｍアプリケーションサーバがあり得、又はＡＴ毎Ｍ２Ｍ登録／登録解除プロシージャがあり得る。
【００８７】
第２のモデルオプション（オプション２）では、ＡＴ毎コンテキストがＡＴ及びＭ２Ｍサーバにおいてのみ割り振られ、ＨＲＰＤセッション及びＰＰＰセッションが維持されない。一例では、ＡＴを起動するためにＩＰアドレスに基づくページングプロシージャが使用され得る。一態様では、ＰＤＳＮは、Ａ１０属性としてＡＴのＩＰアドレスをＡＮに送る。別の態様では、共通Ａ１０／モバイルＩＰトンネルがウェイクアップメッセージのために予約される。
【００８８】
オプション２では、（図１に示す）ＡＴ毎コンテキスト２２が、ＡＴ１６及び（この場合、Ｍ２Ｍサーバとしても知られる）呼発信者ゲートウェイ構成要素１４においてのみ割当てられる。例えば、ＰＰＰセッションと無線リンクレイヤ（例えば、ＨＲＰＤセッション）の両方が維持されない。例えば、メッセージ３２は、ＡＴ１６を起動するためのＩＰアドレスベースのページングを含む。例えば、パケットデータサービングノード（ＰＤＳＮ）４４は、Ａ１０メッセージ属性としてＡＴ１６のＩＰアドレスをＡＮ４２に送る。また、メッセージ３２のために共通接続２４が予約され得る。例えば、共通接続２４は、ＡＮ４２とＰＤＳＮ４４との間のＡ１０接続、及びＰＤＳＮ４４とモビリティ要素４６（例えば、ホームエージェント／ローカルモビリティエージェント（ＨＡ／ＬＭＡ））との間のモバイルＩＰ（ＭＩＰ）トンネルを含み得る。
【００８９】
一例では、オプション２は以下のステップによって要約され得る。ステップ１〜３は、ＩＰアドレスを取得することと、そのＩＰアドレスをＭ２Ｍサーバ／ゲートウェイに登録することとを行うための、ＡＴのためのデータセッション登録に関係する。ステップ４〜７は、ＡＴ着信データ呼又は接続を確立することに関係する。
【００９０】
１．  ＡＴがデータセッションを開始し、ＩＰｖ６アドレスが割当てられる
２．  割当てられたＩＰアドレスがＭ２Ｍサーバに登録される
３．  ＰＰＰセッション及びＨＲＰＤセッションがクローズされ、ＩＰアドレスがＡＴ及びＭ２Ｍサーバ／ゲートウェイにおいて維持される
４．  Ｍ２Ｍサーバが、割当てられたＩＰアドレスを用いてウェイクアップメッセージをＡＴに送り、ウェイクアップメッセージを送るために共通ＭＩＰトンネルが使用される
５．  ＰＳＤＮが共通Ａ１０接続を使用してウェイクアップメッセージをＡＮに送る
６．  ＡＮが、例えば、ＡＴのグループをアドレッシングする特殊アクセス端末識別子／モバイルアクセス端末識別子（ＡＴＩ／ＭＡＴＩ）を使用して、ＩＰページメッセージをＡＴに送る。特殊ＡＴＩ／ＭＡＴＩは多くのＡＴによって受信され得る。ページメッセージ中の特殊インジケータは、ＡＴを識別するためにＩＰアドレスが使用されることをＡＴに示し得、これは、そのページがそのＡＴを対象とするかどうかを判断するために、ＡＴによって検査される必要があり得る。別の態様では、ＨＲＰＤエアインターフェースにおいてＡＴを識別するためにＵＲＬがページメッセージ中に含まれ得る。
【００９１】
７．  ＡＴが、高速パケットデータ（ＨＲＰＤ）セッション及びポイントツーポイントプロトコル（ＰＰＰ）セッションをセットアップし、データ転送が開始する
ステップ１において、ＡＴは、例えば、電源投入時に、データセッション（例えば、接続）を開始して、無線リンクレイヤコンテキスト（例えば、ＨＲＰＤコンテキスト）、データレイヤリンク、及びＩＰレイヤコンテンツ（例えば、ＰＰＰコンテキスト）を含む、ＡＴ固有コンテキストを確立する。また、ステップ１において、ネットワーク識別子１２（例えば、ＩＰアドレス）が割当てられる。ステップ２において、ネットワーク識別子１２はＭ２Ｍサーバに登録される。ステップ３において、ＰＰＰセッションと無線リンクレイヤセッション（例えば、ＨＲＰＤ）が両方クローズされ、それにより、ＡＴ１６及びＭ２Ｍサーバにおいてネットワーク識別子１２を維持しながら、対応するＡＴ固有コンテキストが削除される。一例では、無線リンクレイヤＡＴ固有コンテキスト（例えば、ＨＲＰＤコンテキスト）を維持する、オプション１に関する本開示とは反対に、ＡＴ固有コンテキストは維持されない。
【００９２】
ステップ４において、Ｍ２Ｍサーバは、共通接続２４（例えば、ＭＩＰトンネル）を介してネットワーク識別子１２（例えば、ＩＰアドレス）を使用してメッセージ３２（例えば、ウェイクアップメッセージ）をＡＴ１６に送る。ステップ５において、ＰＤＳＮ４４は、共通接続２４（例えば、Ａ１０接続）を使用してメッセージ３２をＡＮ４２に送る。ステップ６において、ＡＮ４２は、メッセージ３２中のネットワーク識別子１２（例えば、ＩＰアドレス）を使用して、ＩＰページメッセージを送る。ＩＰページメッセージは、場合によっては、ＩＰアドレスの一部をそのページ中に含めるために、特殊ＵＡＴＩ、モバイルＡＴＩ（ＭＡＴＩ）又はブロードキャストＡＴＩ（ＢＡＴＩ）を含み得る。ステップ７において、ＡＴ１６は、ＡＴ着信呼をサポートするための、ＡＴ固有コンテキストを有する無線リンクレイヤ（例えば、ＨＲＰＤセッション及びＰＰＰセッション）を確立するなど、固有の接続を確立し、データ転送が後に続く。
【００９３】
図１０に、ＰＭＩＰｖ６を使用したデータ登録のオプション２の例示的なシーケンス図を示す。図１０は、アクセス端末（ＡＴ）と、アクセスノード（ＡＮ）と、パケットデータサービングノード（ＰＤＳＮ）と、ローカルモビリティエージェント（ＬＭＡ）との間のプロセス及びシグナリング交換を示している。別の態様では、共通Ａ１０／ＭＩＰトンネルが、ＡＴへのウェイクアップメッセージのために予約される。
【００９４】
一例は、ＡＴ１６と、ＡＮ４２と、ＰＤＳＮ４４と、ＨＡ／ＬＭＡ４６との間で交換される様々なアクション又はメッセージを含む。一例では、ステップ１〜１１は、オプション１におけるステップ１〜１１と同じである。ステップ１２は、オプション１におけるステップ１３に対応する。場合によっては、ステップ１１は、セッションを更新するために実行され得る。一態様では、ステップ１１において、セッション更新は、ウェイクアップメッセージを受信するとＡＮがどの（送受信基地局（ＢＴＳ）としても知られる）基地局をページングすべきかを知ることになるように、ＡＴがそれと通信しているそれぞれのセクタのセクタ識別子をＡＮがネットワーク識別子（例えば、ＩＰアドレス）に関連付けることを含み得る。更に、ステップ１３において、オプション２は、無線リンクレイヤコンテキスト（例えば、ＨＲＰＤセッション）がリリースされるという点でオプション１とは異なる。ＡＮにおけるＵＡＴＩとのネットワーク識別子（例えば、ＩＰアドレス）のマッピングはない。代わりに、ＩＰベースのページングが利用される。
【００９５】
ステップ１４〜１７及び２１〜２４は、本質的に、それぞれオプション１におけるステップ１４〜１６、１８及び２０〜２３に対応する。ただし、オプション２は、幾つかの点でオプション１とは異なる。例えば、オプション２では、ステップ１７において、ネットワーク識別子に基づくページ(network identifier-based page)（例えば、ＩＰアドレスベースのページ）がＡＴに送られる。場合によっては、上記ページは特殊ＵＡＴＩ／ＭＡＴＩを含み得る。別のオプションでは、ステップ１８を参照すると、ＡＮは、ＡＮに関連付けられた全てのＢＴＳを上記ページでいっぱいにするのではなく、選択されたＢＴＳにおいてＡＴを選択的にページングするために、ステップ１１において記憶されたＡＴに関連付けられたセクタ情報を判断し得る。オプションとして、ステップ１８は、ステップ１６とステップ１７との間で実行され得る。ステップ１９において、前の無線リンクレイヤコンテキストがステップ１３においてリリースされたので、無線リンクレイヤコンテキスト（例えば、ＨＲＰＤセッション）を確立する。更に、ステップ２０〜２２において、データリンクレイヤ及びＩＰコンテキスト（例えば、ＰＰＰセッション）が再セットアップされる。その後、ステップ２３において、データ転送が行われる。ステップ２４において、ステップ１２に戻り、データリンクレイヤ及びＩＰコンテキスト（例えば、ＰＰＰセッション）がリリースされる。ステップ１３において、無線リンクレイヤコンテキスト（例えば、ＨＲＰＤセッション）もリリースされる。
【００９６】
一例では、ＩＰｖ４又はＩＰｖ６のいずれかのアドレスが使用され得る。別の例では、シンプルＩＰ、プロキシモバイルＩＰ又はクライアントモバイルＩＰのうちの１つが、可能なプロトコルとして使用され得る。別の例では、ＨＲＰＤセッション及びＵＡＴＩがＩＰアドレス割振りプロシージャ後にリリースされることを除いてオプション１ｂと同様の、データセッション登録プロシージャが使用され得る。更に別の例では、ＡＮが、Ａ１０属性において取得されたＩＰアドレスを使用してＡＴをページングし得ることと、ＡＴが、ＩＰアドレスを用いてそのページを受信することに応答してＨＲＰＤセッションをセットアップし得ることとを除いてオプション１ｂと同様の、ウェイクアップメッセージのルーティングを用いたＡＴ着信データ呼を使用する。
【００９７】
別の態様では、モビリティの考慮事項（例えばＡＴがＡＮ境界を越えて移動すること）について、ＡＴがＩＰアドレスをサブネットに関連付け、ＡＴが新しいサブネットに移動するときにＡＴがＨＲＰＤ／ＰＰＰセッションをセットアップし得る、コンテキスト転送を含む。例えば、ピンポン効果を回避するために、タイマーが、ＰＤＳＮによって定義され、ＩＰ制御プロトコルベンダー固有オプション（ＩＰＣＰ  ＶＳＯ）を介して通信され得る。別の例では、（例えば、モビリティ中に）クリーンアッププロシージャを含む。クリーンアッププロシージャは、ＡＴ中のＭ２ＭクライアントアプリケーションがＬＭＡ中のＭ２Ｍサーバにシグナリングして登録解除し、ＩＰアドレスがリリースされる、Ｍ２Ｍ登録解除／ＩＰアドレスリリースを含み得る。また、ＶＳＯをＩＰＣＰ中に追加し、新しい情報要素をプロキシバインディング更新／プロキシバインディング確認（ＰＢＵ／ＰＢＡ）中に追加する。別の例では、クリーンアッププロシージャはＡＮコンテキストクリーンアップを含み得、その場合、ＡＮ間ハンドオフ／Ｍ２Ｍ登録解除中に、ＰＤＳＮが、（例えば、ＩＰｖ６が記憶されている場合）ＩＰｖ６をクリーンアップするために（共通Ａ１０接続のための）Ａ１１セッション更新メッセージを古いＡＮに送る。別の例では、クリーンアッププロシージャはＰＤＳＮコンテキストクリーンアップを含み得、これは、タイマーベースであり、ＩＰｖ６アドレスの関連付けを解除するために（例えば、共通トンネル上の）基本レートインターフェース（ＢＲＩ）を含む。別の態様では、Ｍ２Ｍサーバ又はＬＭＡによるＩＰアドレス取消しを含み、その場合、Ｍ２Ｍサーバ又はＬＭＡが、共通モバイルＩＰ（ＭＩＰ）／Ａ１０トンネルを使用してＭ２Ｍ：登録解除メッセージをＡＴに送る。
【００９８】
オプション２に関して、システム要素への幾つかのシステム影響が生じ得る。一例では、エアインターフェースは、ＡＮがＩＰページメッセージをサポートすることが可能であることを示すニュースビットを送信する。ＩＰページメッセージは、ＩＰアドレスの一部を含むために、特殊ユニキャスト／マルチキャスト／ブロードキャストＡＴ識別子（ＵＡＴＩ／ＭＡＴＩ／ＢＡＴＩ）の随意の拡張を含み得る。一例では、ビット数を更に低減するために、ＩＰアドレスのビットの最後の番号がＩＰｖ６プレフィックス又はＩＰｖ４アドレスのいずれかのために使用され得る。また、より長いスリープ持続時間を可能にするための新しいページングサイクルが使用され得る。
【００９９】
別の例では、相互運用性仕様（ＩＯＳ）について、専用共通Ａ１０接続が使用され得、ＡＴのためのＩＰアドレスを含む新しいＡ１０属性が追加され得る。
【０１００】
別の例では、パケットデータサービングノード（ＰＤＳＮ）について、専用ＭＩＰトンネルが使用され得、場合によっては特殊ネットワークアクセス識別子（ＮＡＩ）が使用され得る。別の例では、ＡＮ間境界におけるピンポン効果を回避するためにヒステリシスタイマーを受け渡すためのＩＰＣＰ中のＶＳＯも使用され得る。別の例では、ローカルモビリティアンカー（ＬＭＡ）について、Ｍ２ＭアプリケーションサーバがＬＭＡと統合され得る。
【０１０１】
別の態様では、モバイルＩＰバージョン６／デュアルスタック（ＤＳ）モバイルＩＰバージョン６（ＭＩＰｖ６／ＤＳＭＩＰ６）ベースのソリューションについて、高速パケットデータ（ＨＲＰＤ）がＭＩＰｖ６を使用しないことがある。一例では、幾つかのＨＲＰＤベンダーはＩＰｖ６モビリティのためにＰＭＩＰ６を選択する。以下の提案されるソリューションは、ＭＩＰｖ６／ＤＳＭＩＰ６が展開される場合に使用され得る。
【０１０２】
図１１に、ＭＩＰ６を使用したデータセッション登録の例示的なシーケンス図を示す。データセッション登録と、ＡＴ着信呼を搬送するための接続を確立することとの方法が示されている。
【０１０３】
図１２に、セットアップ中のＭ２Ｍシグナリングプロトコル構造の例示的なシーケンス図を示す。図１２には、セットアップ又は登録中に互いとインターフェースする様々な構成要素におけるプロトコルレイヤが示されている。一例では、ＰＰＰ／ＭＩＰを使用してＡＴ毎ＩＰ登録コンテキストが確立される。一例では、ＩＰアドレスがＭ２Ｍレイヤにおいて保たれる。一例では、ＰＰＰ／ＭＩＰコンテキスト及びＨＲＰＤセッションが後でリリースされ得る。
【０１０４】
図１３に、コンテキストを確立するためのＭ２Ｍシグナリングプロトコル構造の例示的なシーケンス図を示す。図１３には、ＡＴ着信接続確立中に参照される、コンテキストを確立するために互いとインターフェースする様々な構成要素におけるプロトコルレイヤが示されている。一例では、ＰＰＰ／ＭＩＰを使用してＡＴ毎ＩＰ登録コンテキストが確立される。一例では、ＩＰアドレスがＭ２Ｍレイヤにおいて保たれる。一態様では、ＨＲＰＤセッションが維持されない場合、Ｍ２Ｍレイヤにおいて維持されるＩＰアドレスは、ＨＲＰＤエアインターフェースによってＡＴをページングするために使用され得る。別の態様では、ＨＲＰＤセッションが維持される場合、ＡＮは、ＩＰアドレスをＵＡＴＩにマッピングし、ＵＡＴＩを使用してＡＴをページングする。
【０１０５】
別の例では、例えば、オプション１及びオプション２において説明したような、前に説明したアーキテクチャは、ＡＮとＨＡ／ＬＭＡとの間の直接接続を含むように修正され得る。一態様では、この随意の修正は直接共通接続３０に対応する。そのような態様では、直接共通接続がＰＤＳＮ４４をバイパスするので、ＰＤＳＮ４４において前に維持されていたコンテキストは除去され得る。更に、一態様では、直接共通接続３０は、限定はしないが、ＩＰ−ｉｎ−ＩＰトンネルを含み得る。従って、この態様では、呼発信者／ゲートウェイ１４又はＭ２Ｍサーバからの第１のＩＰノード又はホップは、ＡＴ固有コンテキストの少なくとも一部分を維持し得、直接共通接続３０はホップの第２のＩＰノード（例えば、ＡＮ４２）につながり、これもＡＴ固有コンテキストの少なくとも一部分を維持する。
【０１０６】
別の態様では、ネットワーク識別子（例えば、ＩＰアドレス）を維持する代わりに、又はネットワーク識別子が存在しない場合、本開示は、ＡＴ１６をページングするためにＡＴ１６又はＵＥに対応するネットワークアドレス識別子（ＮＡＩ）がＡＮ４２によって使用されるように、修正され得る。
【０１０７】
別の態様では、本明細書で説明するオプションは、限定はしないが、ウェイクアップメッセージ、Ｍ２Ｍ登録解除メッセージ、及び／又はＭ２Ｍ登録メッセージを含む、１つ以上のＭ２Ｍメッセージを含み得る。更に、一態様では、Ｍ２Ｍメッセージフォーマットは、ＡＴネットワーク識別子を識別する第１のフィールドと、ＡＴに関連付けられたグループ識別子であって、Ｍ２Ｍ機器のクラスを識別するグループ識別子を識別する第２のフィールドと、Ｍ２Ｍメッセージのタイプを識別するためのオプションコード（オペコード）又はメッセージ識別子（メッセージＩＤ）を識別する第３のフィールドとを含み得る。例えば、Ｍ２Ｍ登録解除メッセージは、Ｍ２Ｍ登録がリリースされるべきであるとき、ＡＴとＭ２Ｍサーバとの間で交換され得る。別の例では、（ＡＴからＭ２Ｍサーバへの）Ｍ２Ｍ登録メッセージは、ＡＴ毎バインディングがリリースされた後でもＩＰアドレスを保持するためにＡＴとＭ２Ｍサーバとの間で交換され得る。
【０１０８】
別の態様では、本開示は、１ｘ−ＳＭＳなどのショートメッセージサービスを使用してＡＴをページングすることと比較して有利であり得、なぜなら、ＳＭＳベースのページングの使用により、それぞれの機器のための国際モバイル加入者識別情報（ＩＭＳＩ）を取得することが更に必要となり、ＩＭＳＩリソースが限られることがあるからである。更に、本開示は、ＳＭＳページングと比較して有利であり得、なぜなら、ＳＭＳページは負荷に応じて遅れることがあり、ショートメッセージサービスセンター（ＳＭＳＣ）にしばしば負荷がかかりすぎるからである。一例では、モバイルオペレータは、パケットデータが利用可能なときはいつでもＩＰマルチメディアサブシステム（ＩＭＳ）ベースの又はＩＰベースのＳＭＳを使用するために移動していることがある。
【０１０９】
図１４に、ワイヤレス通信ネットワークにおいて接続を確立するための例示的な機器１４００を示す。機器１４００は、通信機器として、或いは通信機器内で使用するためのプロセッサ又は同様の機器として構成され得る。図示のように、機器１４００は、プロセッサ、ソフトウェア、ハードウェア又はそれらの組合せ（例えば、ファームウェア）によって実装される機能を表すことができる機能ブロックを含み得る。
【０１１０】
図示のように、機器１４００は、２つ以上のアクセス端末（ＡＴ）が使用する共通接続を予約するための電気構成要素１４１０を含み得る。機器１４００は、共通接続をアクセス端末に対応するネットワーク識別子に関連付けるための電気構成要素１４２０を含み得る。一例では、上記関連付けは、アクセス端末による登録セッションに基づく。一例では、ＡＴは、ワイヤレス通信ネットワーク中のＡＴを識別するためのネットワーク識別子を取得するために、無線リンクレイヤセッション、データリンクレイヤセッション及び／又はＩＰネットワークレイヤセッションを確立する。また、一例では、取得されたネットワーク識別子を、限定はしないが、呼発信者ゲートウェイ又はＭ２Ｍサーバのうちの１つ又は複数など、ＡＴに連絡することを望むエンティティに登録する。機器１４００は、ネットワーク識別子を維持しながらアクセス端末（ＡＴ）のためのネットワーク識別子関係のコンテキストを削除するための電気構成要素１４３０を含み得る。１つの変形体では、電気構成要素１４３０は、アクセス端末（ＡＴ）に対応するインターネットプロトコル（ＩＰ）アドレスを維持しながらアクセス端末のためのＩＰ関係のコンテキスト及びＰＰＰコンテキストを削除するように構成され得る。機器１４００は、アクセス端末（ＡＴ）への呼に基づいて、共通接続を介して、及びネットワーク識別子に基づいて、メッセージを送信するための電気構成要素１４４０を含み得る。機器１４００は、上記メッセージに対する応答に基づいて、上記呼を搬送するためのアクセス端末（ＡＴ）に対応する固有の接続を確立するための電気構成要素１４５０を含み得る。一例では、電気構成要素１４５０は、上記メッセージに対する応答に基づいて、上記呼を搬送するためのＡＴに対応するネットワーク識別子のための固有の接続及びコンテキストを確立するように構成される。
【０１１１】
機器１４００は、場合によっては、少なくとも１つのプロセッサを有するプロセッサモジュール１４０２を含み得る。一態様では、機器１４００は、プロセッサとしてではなく、通信ネットワークエンティティとして構成され得る。そのような場合、プロセッサ１４０２は、バス１４０４又は同様の通信結合を介して電気構成要素１４１０〜１４５０と動作可能に通信し得る。プロセッサ１４０２は、電気構成要素１４１０〜１４５０によって実行されるプロセス又は機能の開始とスケジューリングとを実施し得る。
【０１１２】
関係する態様では、機器１４００はトランシーバモジュール１４０６を含み得る。トランシーバモジュール１４０６の代わりに又はトランシーバモジュール１４０６とともに、スタンドアロン受信機及び／又はスタンドアロン送信機が使用され得る。さらなる関係する態様では、機器１４００は、場合によっては、例えば、メモリモジュール１４０８など、情報を記憶するためのモジュールを含み得る。メモリモジュール１４０８は、コンピュータ可読媒体を含み得、バス１４０４などを介して機器１４００の他の構成要素に動作可能に結合され得る。メモリモジュール１４０８は、電気構成要素１４１０〜１４５０、及びそれらの副構成要素、又はプロセッサ１４０２、又は本明細書で開示する方法のプロセス及び挙動を実施するための、コンピュータ可読コード、命令及び／又はデータを記憶するように適応され得る。メモリモジュール１４０８は、電気構成要素１４１０〜１４５０に関連する機能を実行するためのコード／命令を保持し得る。メモリモジュール１４０８の外部にあるものとして示されているが、電気構成要素１４１０〜１４５０はメモリモジュール１４０８の内部に存在し得ることを理解されたい。
【０１１３】
図１５に、アクセス端末（ＡＴ）において接続を確立するための例示的な機器１５００を示す。機器１５００は、通信機器として、或いは通信機器内で使用するためのプロセッサ又は同様の機器として構成され得る。図示のように、機器１５００は、プロセッサ、ソフトウェア、ハードウェア又はそれらの組合せ（例えば、ファームウェア）によって実装される機能を表すことができる機能ブロックを含み得る。
【０１１４】
図示のように、機器１５００は、通信ネットワークとの登録セッションを行うための電気構成要素１５１０を含み得る。機器１５００は、登録セッションに基づいて通信ネットワーク中のアクセス端末に対応するネットワーク識別子を取得するための電気構成要素１５２０を含み得る。機器１５００は、ネットワーク識別子を維持しながらアクセス端末（ＡＴ）のためのネットワーク識別子関係のコンテキストを削除するための電気構成要素１５３０を含み得る。１つの変形体では、電気構成要素１５３０は、ネットワーク識別子を維持しながらアクセス端末（ＡＴ）のためのインターネットプロトコル（ＩＰ）関係のコンテキストを削除するように構成され得る。機器１５００は、アクセス端末（ＡＴ）に宛てられた呼を示すメッセージを受信するための電気構成要素１５４０を含み得る。機器１５００は、上記メッセージに基づいて、上記呼を搬送するためのアクセス端末に対応する固有の接続を確立するための電気構成要素１５５０を含み得る。
【０１１５】
機器１５００は、場合によっては、少なくとも１つのプロセッサを有するプロセッサモジュール１５０２を含み得る。一態様では、機器１５００は、プロセッサとしてではなく、通信ネットワークエンティティとして構成され得る。そのような場合、プロセッサ１５０２は、バス１５０４又は同様の通信結合を介して電気構成要素１５１０〜１５５０と動作可能に通信し得る。プロセッサ１５０２は、電気構成要素１５１０〜１５５０によって実行されるプロセス又は機能の開始とスケジューリングとを実施し得る。
【０１１６】
関係する態様では、機器１５００はトランシーバモジュール１５０６を含み得る。トランシーバモジュール１５０６の代わりに又はトランシーバモジュール１５０６とともに、スタンドアロン受信機及び／又はスタンドアロン送信機が使用され得る。さらなる関係する態様では、機器１５００は、場合によっては、例えば、メモリモジュール１５０８など、情報を記憶するためのモジュールを含み得る。メモリモジュール１５０８は、コンピュータ可読媒体を含み得、バス１５０４などを介して機器１５００の他の構成要素に動作可能に結合され得る。メモリモジュール１５０８は、電気構成要素１５１０〜１５５０、及びそれらの副構成要素、又はプロセッサ１５０２、又は本明細書で開示する方法のプロセス及び挙動を実施するための、コンピュータ可読コード、命令及び／又はデータを記憶するように適応され得る。メモリモジュール１５０８は、電気構成要素１５１０〜１５５０に関連する機能を実行するためのコード／命令を保持し得る。メモリモジュール１５０８の外部にあるものとして示されているが、電気構成要素１５１０〜１５５０はメモリモジュール１５０８の内部に存在し得ることを理解されたい。
【０１１７】
図３及び図４の例示的な流れ図において開示するステップは、本開示の範囲及び趣旨から逸脱することなくそれらの順序において交換され得ることを当業者ならば理解されよう。また、流れ図に示すステップは排他的なものではなく、本開示の範囲及び趣旨に影響を及ぼすことなく他のステップを含めるか或いは例示的な流れ図のステップのうちの１つ又は複数を削除し得ることを当業者ならば理解されよう。
【０１１８】
更に、本明細書で開示する例に関して説明する様々な例示的な構成要素、論理ブロック、モジュール、回路、及び／又はアルゴリズムステップは、電子ハードウェア、ファームウェア、コンピュータソフトウェア、又はそれらの組合せとして実装され得ることを当業者ならば諒解されよう。ハードウェア、ファームウェア、及びソフトウェアのこの互換性を明確に示すために、様々な例示的な構成要素、ブロック、モジュール、回路、及び／又はアルゴリズムステップについて、上記では概してそれらの機能に関して説明した。そのような機能をハードウェアとして実装するか、ファームウェアとして実装するか、又はソフトウェアとして実装するかは、特定の適用例及び全体的なシステムに課せられた設計制約に依存する。当業者は、説明した機能を特定の適用例ごとに様々な方法で実装し得るが、そのような実装の決定は、本開示の範囲又は趣旨からの逸脱を生じるものと解釈すべきではない。
【０１１９】
例えば、ハードウェア実装の場合、処理ユニットは、１つ以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、又はそれらの組合せの中で実装され得る。ソフトウェアの場合、実装は、本明細書で説明する機能を実行するモジュール（例えば、プロシージャ、関数など）を介し得る。ソフトウェアコードは、メモリユニットに記憶され、プロセッサユニットによって実行され得る。更に、本明細書で説明する様々な例示的な流れ図、論理ブロック、モジュール、及び／又はアルゴリズムステップは、当技術分野で知られている任意のコンピュータ可読媒体上で搬送されるか又は当技術分野で知られている任意のコンピュータプログラム製品に実装されたコンピュータ可読命令としてもコード化され得る。一態様では、コンピュータ可読媒体は非一時的コンピュータ可読媒体を含む。
【０１２０】
１つ以上の例では、本明細書で説明するステップ又は機能は、ハードウェア、ソフトウェア、ファームウェア、又はそれらの任意の組合せで実装され得る。ソフトウェアで実装される場合、機能は、１つ以上の命令又はコードとしてコンピュータ可読媒体上に記憶されるか、或いはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ又は他の光ディスクストレージ、磁気ディスクストレージ又は他の磁気記憶装置、或いは命令又はデータ構造の形態の所望のプログラムコードを搬送又は記憶するために使用され得、コンピュータによってアクセスされ得る、任意の他の媒体を含み得る。また、いかなる接続もコンピュータ可読媒体と適切に呼ばれる。例えば、ソフトウェアが、同軸ケーブル、光ファイバケーブル、ツイストペア、デジタル加入者回線（ＤＳＬ）、又は赤外線、無線、及びマイクロ波などのワイヤレス技術を使用して、ウェブサイト、サーバ、又は他のリモートソースから送信される場合、同軸ケーブル、光ファイバケーブル、ツイストペア、ＤＳＬ、又は赤外線、無線、及びマイクロ波などのワイヤレス技術は、媒体の定義に含まれる。本明細書で使用するディスク（disk）及びディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）及びブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１２１】
図１６に、ワイヤレス通信ネットワークにおいて接続を確立するのに好適な例示的な機器１６００を示す。一態様では、機器１６００は、ブロック１６１０、１６２０、１６３０、１６４０及び１６５０において本明細書で説明するようにワイヤレス通信システムにおいて接続を確立することの異なる態様を与えるように構成された１つ以上のモジュールを備える少なくとも１つのプロセッサによって実装される。例えば、各モジュールはハードウェア、ファームウェア、ソフトウェア、又はそれらの任意の組合せを含む。一態様では、機器１６００は、少なくとも１つのプロセッサと通信している少なくとも１つのメモリによっても実装される。
【０１２２】
図１７に、ワイヤレス通信ネットワークにおいて接続を確立するのに好適な例示的な機器１７００を示す。一態様では、機器１７００は、ブロック１７１０、１７２０、１７３０、１７４０及び１７５０において本明細書で説明するようにワイヤレス通信システムにおいて接続を確立することの異なる態様を与えるように構成された１つ又は複数のモジュールを備える少なくとも１つのプロセッサによって実装される。例えば、各モジュールはハードウェア、ファームウェア、ソフトウェア、又はそれらの任意の組合せを含む。一態様では、機器１７００は、少なくとも１つのプロセッサと通信している少なくとも１つのメモリによっても実装される。
【０１２３】
図１８は、２端末システム、例えば、アクセスノード／アクセス端末１８００の一例を示すブロック図である。図１に示す例示的なアクセスノード／アクセス端末１８００は、ＦＤＭＡ環境、ＯＦＤＭＡ環境、ＣＤＭＡ環境、ＷＣＤＭＡ環境、ＴＤＭＡ環境、ＳＤＭＡ環境又は任意の他の好適なワイヤレス環境において実装され得ることを当業者ならば理解されよう。
【０１２４】
アクセスノード／アクセス端末１８００は、アクセスノード１８０２（例えば、基地局）とアクセス端末（例えば、ワイヤレス通信機器）とを含む。ダウンリンクレッグにおいて、アクセスノード１８０２（例えば、基地局）は、トラフィックデータを受け付け、フォーマットし、コーディングし、インターリーブし、変調し（又はシンボルマッピングし）、変調シンボル（例えば、データシンボル）を与える、送信（ＴＸ）データプロセッサＡ１８１０を含む。ＴＸデータプロセッサＡ１８１０はシンボル変調器Ａ１８２０と通信している。シンボル変調器Ａ１８２０は、データシンボルとダウンリンクパイロットシンボルとを受け付け、処理し、シンボルのストリームを与える。一態様では、トラフィックデータを変調（又はシンボルマッピング）し、変調シンボル（例えば、データシンボル）を与えるのはシンボル変調器Ａ１８２０である。一態様では、シンボル変調器Ａ１８２０は、構成情報を提供するプロセッサＡ１８８０と通信している。シンボル変調器Ａ１８２０は送信機ユニット（ＴＭＴＲ）Ａ１８３０と通信している。シンボル変調器Ａ１８２０は、データシンボルとダウンリンクパイロットシンボルとを多重化し、それらを送信機ユニットＡ１８３０に与える。
【０１２５】
送信されるべき各シンボルは、データシンボル、ダウンリンクパイロットシンボル又は信号値０であり得る。ダウンリンクパイロットシンボルは、各シンボル期間中に連続的に送られ得る。一態様では、ダウンリンクパイロットシンボルは周波数分割多重化（ＦＤＭ）される。別の態様では、ダウンリンクパイロットシンボルは直交周波数分割多重化（ＯＦＤＭ）される。更に別の態様では、ダウンリンクパイロットシンボルは符号分割多重化（ＣＤＭ）される。一態様では、送信機ユニットＡ１８３０は、シンボルのストリームを受信し、１つ又は複数のアナログ信号に変換し、更に、そのアナログ信号を調整して、例えば、増幅、フィルタ処理及び／又は周波数アップコンバートして、ワイヤレス送信に好適なアナログダウンリンク信号を生成する。次いで、アナログダウンリンク信号はアンテナ１８４０を通して送信される。
【０１２６】
ダウンリンクレッグにおいて、アクセス端末（ＡＴ）１８０３は、アナログダウンリンク信号を受信し、そのアナログダウンリンク信号を受信機ユニット（ＲＣＶＲ）Ｂ１８２５に入力するためのアンテナ１８１５を含む。一態様では、受信機ユニットＢ１８２５は、アナログダウンリンク信号を調整して、例えば、フィルタ処理、増幅、及び周波数ダウンコンバートして、第１の「調整された」信号にする。次いで、この第１の「調整された」信号はサンプリングされる。受信機ユニットＢ１８２５はシンボル復調器Ｂ１８３５と通信している。シンボル復調器Ｂ１８３５は、受信機ユニットＢ１８２５から出力された第１の「調整」及び「サンプリング」された信号（例えば、データシンボル）を復調する。代替形態は、シンボル復調器Ｂ１８３５中にサンプリングプロセスを実装することであることを当業者ならば理解されよう。シンボル復調器Ｂ１８３５はプロセッサＢ１８４５と通信している。プロセッサＢ１８４５は、シンボル復調器Ｂ１８３５からダウンリンクパイロットシンボルを受信し、そのダウンリンクパイロットシンボルに対してチャネル推定を実行する。一態様では、チャネル推定は、現在の伝搬環境を特徴付けるプロセスである。シンボル復調器Ｂ１８３５は、プロセッサＢ１８４５からダウンリンクレッグの周波数応答推定値を受信する。シンボル復調器Ｂ１８３５は、データシンボルに対してデータ復調を実行して、ダウンリンク経路上のデータシンボル推定値を取得する。ダウンリンク経路上のデータシンボル推定値は、送信されたデータシンボルの推定値である。シンボル復調器Ｂ１８３５はまた、ＲＸデータプロセッサＢ１８５５と通信している。
【０１２７】
ＲＸデータプロセッサＢ１８５５は、シンボル復調器Ｂ１８３５からダウンリンク経路上のデータシンボル推定値を受信し、例えば、そのダウンリンク経路上のデータシンボル推定値を復調（即ち、シンボルデマッピング）、デインターリーブ及び／又は復号して、トラフィックデータを復元する。一態様では、シンボル復調器Ｂ１８３５及びＲＸデータプロセッサＢ１８５５による処理は、それぞれシンボル変調器Ａ１８２０及びＴＸデータプロセッサＡ１８１０による処理を補足するものである。
【０１２８】
アップリンクレッグにおいて、ＡＴ１８０３はＴＸデータプロセッサＢ１８６５を含む。ＴＸデータプロセッサＢ１８６５は、トラフィックデータを受け付け、処理して、データシンボルを出力する。ＴＸデータプロセッサＢ１８６５はシンボル変調器Ｄ１８７５と通信している。シンボル変調器Ｄ１８７５は、データシンボルを受け付け、アップリンクパイロットシンボルと多重化し、変調を実行し、シンボルのストリームを与える。一態様では、シンボル変調器Ｄ１８７５は、構成情報を提供するプロセッサＢ１８４５と通信している。シンボル変調器Ｄ１８７５は送信機ユニットＢ１８８５と通信している。
【０１２９】
送信されるべき各シンボルは、データシンボル、アップリンクパイロットシンボル又は信号値０であり得る。アップリンクパイロットシンボルは、各シンボル期間中に連続的に送られ得る。一態様では、アップリンクパイロットシンボルは周波数分割多重化（ＦＤＭ）される。別の態様では、アップリンクパイロットシンボルは直交周波数分割多重化（ＯＦＤＭ）される。更に別の態様では、アップリンクパイロットシンボルは符号分割多重化（ＣＤＭ）される。一態様では、送信機ユニットＢ１８８５は、シンボルのストリームを受信し、１つ又は複数のアナログ信号に変換し、更に、そのアナログ信号を調整して、例えば、増幅、フィルタ処理及び／又は周波数アップコンバートして、ワイヤレス送信に好適なアナログアップリンク信号を生成する。次いで、アナログアップリンク信号はアンテナ１８１５を通して送信される。
【０１３０】
ＡＴ１８０３からのアナログアップリンク信号は、アンテナ１８４０によって受信され、受信機ユニットＡ１８５０によって処理されて、サンプルが得られる。一態様では、受信機ユニットＡ１８５０は、アナログアップリンク信号を調整して、例えば、フィルタ処理、増幅、及び周波数ダウンコンバートして、第２の「調整された」信号にする。次いで、この第２の「調整された」信号はサンプリングされる。受信機ユニットＡ１８５０はシンボル復調器Ｃ１８６０と通信している。代替形態は、シンボル復調器Ｃ１８６０中にサンプリングプロセスを実装することであることを当業者ならば理解されよう。シンボル復調器Ｃ１８６０は、データシンボルに対してデータ復調を実行して、アップリンク経路上のデータシンボル推定値を取得し、次いで、アップリンクパイロットシンボルと、アップリンク経路上のデータシンボル推定値とをＲＸデータプロセッサＡ１８７０に与える。アップリンク経路上のデータシンボル推定値は、送信されたデータシンボルの推定値である。ＲＸデータプロセッサＡ１８７０は、アップリンク経路上のデータシンボル推定値を処理して、アクセス端末１８０３によって送信されたトラフィックデータを復元する。シンボル復調器Ｃ１８６０はまた、プロセッサＡ１８８０と通信している。プロセッサＡ１８８０は、アップリンクレッグ上で送信しているアクティブ端末ごとにチャネル推定を実行する。一態様では、複数の端末が、パイロットサブバンドセットがインターレースされ得るパイロットサブバンドのそれぞれの割り当てられたセット上で、アップリンクレッグ上で同時にパイロットシンボルを送信し得る。
【０１３１】
プロセッサＡ１８８０及びプロセッサＢ１８４５は、それぞれアクセスノード１８０２（例えば、基地局）及びＡＴ１８０３における動作を指示（即ち、制御、調整又は管理など）する。一態様では、プロセッサＡ１８８０及びプロセッサＢ１８４５の一方又は両方は、プログラムコード及び／又はデータを記憶するための１つ以上のメモリユニット（図示せず）に結合される。一態様では、プロセッサＡ１８８０又はプロセッサＢ１８４５の一方又は両方は、それぞれアップリンクレッグ及びダウンリンクレッグについて周波数応答推定値及びインパルス応答推定値を導出するための計算を実行する。
【０１３２】
一態様では、アクセスノード／アクセス端末１８００は多元接続システムである。多元接続システム（例えば、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）など）の場合、複数の端末がアップリンクレッグ上で同時に送信し、複数のＡＴへのアクセスが可能になる。一態様では、多元接続システムの場合、パイロットサブバンドは異なる端末の間で共有され得る。各端末のパイロットサブバンドが（場合によってはバンドエッジを除いて）動作帯域全体にわたる場合、チャネル推定技法が使用される。そのようなパイロットサブバンド構造は、端末ごとに周波数ダイバーシティを得るために望ましい。
【０１３３】
図１９に、複数のアクセス端末をサポートするワイヤレス通信ネットワーク１９００の一例を示す。図１９では、参照番号１９９２Ａ〜１９９２Ｇはセルを指し、参照番号１９９８Ａ〜１９９８Ｇは（基地局（ＢＳ）、ノードＢ、ｅノードＢとしても知られる）アクセスノードを指す。参照番号１９９６Ａ〜１９９６Ｊは（ユーザ機器（ＵＥ）、ユーザ機器などとしても知られる）アクセス端末を指す。セルサイズは変動し得る。ワイヤレス通信ネットワーク１９００中で送信をスケジュールするために、様々なアルゴリズム及び方法のうちのいずれかが使用され得る。ワイヤレス通信ネットワーク１９００は、幾つかのセル１９９２Ａ〜１９９２Ｇのための通信を可能にし、各セルは、それぞれ対応するアクセスノード１９９８Ａ〜１９９８Ｇによってサービスされる。
【０１３４】
本開示の範囲及び趣旨は、限定はしないが、ＵＭＴＳ、ＷＣＤＭＡ、ＧＳＭ、ＧＳＭ／ＧＰＲＳ／ＥＤＧＥ、ＬＴＥ、ＩＳ−９５、ＣＤＭＡ２０００、ＥＶＤＯ又はＵＭＢなどを含む、他のワイヤレスシステムによって採用される無線アクセス技術の他の例による影響を受けないことを当業者なら理解されよう。
【０１３５】
本開示で使用する「構成要素」、「モジュール」、「システム」などの用語は、限定はしないが、ハードウェア、ファームウェア、ハードウェアとソフトウェアの組合せ、ソフトウェア、又は実行中のソフトウェアなど、コンピュータ関係のエンティティを含むものとする。例えば、構成要素は、プロセッサ上で実行されるプロセス、プロセッサ、オブジェクト、実行ファイル、実行スレッド、プログラム、及び／又はコンピュータであり得るが、これらに限定されない。例として、コンピューティング機器上で実行されるアプリケーションと、そのコンピューティング機器の両方が構成要素であり得る。１つ以上の構成要素がプロセス及び／又は実行スレッド内に常駐し得、１つの構成要素が１つのコンピュータ上に配置され得、及び／又は２つ以上のコンピュータ間に分散され得る。更に、これらの構成要素は、様々なデータ構造を記憶している様々なコンピュータ可読媒体から実行し得る。これらの構成要素は、ローカルシステム内の、分散型システム内の、及び／又は他のシステムを用いるインターネットなどのネットワーク上の、別の構成要素と信号を介して対話する１つの構成要素からのデータなど、１つ以上のデータパケットを有する信号によるなど、ローカルプロセス及び／又はリモートプロセスを介して通信し得る。
【０１３６】
更に、本明細書では、ワイヤード端末又はワイヤレス端末とすることができる端末に関する様々な態様について説明する。端末は、システム、機器、加入者ユニット、加入者局、移動局、モバイル、モバイル機器、リモート局、リモート端末、アクセス端末、ユーザ端末、端末、通信機器、ユーザエージェント、ユーザ機器、又はユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルド機器、コンピューティング機器、又はワイヤレスモデムに接続された他の処理装置であり得る。更に、本明細書では基地局に関する様々な態様について説明する。基地局は、（１つ又は複数の）ワイヤレス端末と通信するために利用され得、アクセスポイント、ノードＢ、ｅノードＢ、又は何らかの他の同様の用語で呼ばれることもある。
【０１３７】
開示する態様の前述の説明は、当業者が本開示を実施又は使用できるように与えたものである。これらの態様への様々な修正は当業者には容易に明らかとなり、本明細書で定義した一般原理は、本開示の趣旨又は範囲から逸脱することなく他の態様に適用され得る。
以下に本件出願当初の特許請求の範囲に記載された発明を付記する。
[１]  ワイヤレス通信ネットワークにおいて接続を確立するための方法であって、２つ以上のアクセス端末（ＡＴ）が使用する共通接続を予約することと、前記共通接続を前記ＡＴに対応するネットワーク識別子に関連付けることと、前記ネットワーク識別子を維持しながら前記ＡＴのためのネットワーク識別子関係のコンテキストを削除することと、前記ＡＴへの呼に基づいて、前記共通接続を介して、及び前記ネットワーク識別子に基づいて、メッセージを送信することと、含む、方法。
[２]  無線アクセスネットワーク（ＲＡＮ）要素とパケットデータ交換ノード（ＰＤＳＮ）との間に前記共通接続を確立することを更に備える、［１に記載の方法。
[３]  前記共通接続が、パケットデータサービングノード（ＰＤＳＮ）とＩＰネットワーク側要素との間に確立された共通モバイルインターネットプロトコル（ＭＩＰ）トンネルである、［１］に記載の方法。
[４]  前記ＩＰネットワーク側要素が、ホームエージェント（ＨＡ）、ローカルモビリティアンカー（ＬＭＡ）又は呼発信者ゲートウェイ構成要素のうちの１つである、［３］に記載の方法。
[５]  前記関連付けるステップが、前記ＡＴによる登録セッションに基づいて実行される、［４］に記載の方法。
[６]  前記登録セッションが、無線リンクレイヤセッション、データリンクレイヤセッション又はＩＰネットワークレイヤセッションのうちの１つである、［５］に記載の方法。
[７]  ポイントツーポイントプロトコル（ＰＰＰ）セッションに対応するＡＴ固有コンテキストを削除することを更に備える、［１］に記載の方法。
[８]  前記メッセージが、ウェイクアップメッセージ、ページ又は階層メッセージのうちの１つである、［１］に記載の方法。
[９]  前記ウェイクアップメッセージ、前記ページ又は前記階層メッセージのうちの１つ以上のための階層ＩＰアドレスを構築することを更に備える、［８］に記載の方法。
[１０]  前記ページが、前記ネットワーク識別子としてＩＰアドレス、ユニバーサルリソースロケータ（ＵＲＬ）又はネットワークアドレス識別子（ＮＡＩ）を用いたエアインターフェースページングを使用する、［８］に記載の方法。
[１１]  前記メッセージのデータパケットヘッダ中のＩＰアドレスからユニキャストアクセス端末識別子（ＵＡＴＩ）を導出することを更に備える、［１］に記載の方法。
[１２]  前記メッセージが、前記ネットワーク識別子を機器固有識別子に変換するためのマッピングに関する情報を含む、［１］に記載の方法。
[１３]  前記機器固有識別子がユニキャストアクセス端末識別子（ＵＡＴＩ）である、［１２］に記載の方法。
[１４]  前記呼を搬送するための前記ＡＴに対応する前記ネットワーク識別子のための固有の接続及びコンテキストが確立され、前記メッセージに対する応答に基づく、［１］に記載の方法。
[１５]  前記ネットワーク識別子がＩＰアドレス又はユニバーサルリソースロケータ（ＵＲＬ）である、［１］に記載の方法。
[１６]  アクセス端末（ＡＴ）において接続を確立するための方法であって、ワイヤレス通信ネットワークとの登録セッションを行うことと、前記登録セッションに基づいて前記ＡＴに対応するネットワーク識別子を取得することと、前記ネットワーク識別子を維持しながら前記ＡＴのためのネットワーク識別子関係のコンテキストを削除することと、前記ＡＴに宛てられた呼を示すメッセージを受信することと、前記メッセージに基づいて、前記呼を搬送するための前記ＡＴに対応する固有の接続を確立することと
を備える、方法。
[１７]  前記ネットワーク識別子の登録を開始することを更に備える、［１６］に記載の方法。
[１８]  前記ネットワーク識別子がＩＰアドレスである、［１７］に記載の方法。
[１９]  ポイントツーポイントプロトコル（ＰＰＰ）セッションに対応するＡＴ固有コンテキストを削除することを更に含む、［１６］に記載の方法。
[２０]  前記メッセージがウェイクアップメッセージである、［１６］に記載の方法。
[２１]  プロセッサとメモリとを備える、接続を確立するための装置であって、前記メモリは、２つ以上のアクセス端末（ＡＴ）が使用する共通接続を予約することと、前記共通接続を前記ＡＴに対応するネットワーク識別子に関連付けることと、前記ネットワーク識別子を維持しながら前記ＡＴのためのインターネットプロトコル（ＩＰ）関係のコンテキストを削除することと、前記ＡＴへの呼に基づいて、前記共通接続を介して、及び前記ネットワーク識別子に基づいて、メッセージを送信することと、を実行するための、前記プロセッサによって実行可能なプログラムコードを含む、装置。
[２２]  前記メモリが、無線アクセスネットワーク（ＲＡＮ）要素とパケットデータ交換ノード（ＰＤＳＮ）との間に前記共通接続を確立するためのプログラムコードを更に備える、［２１］に記載の装置。
[２３]  前記共通接続が、パケットデータサービングノード（ＰＤＳＮ）とＩＰネットワーク側要素との間に確立された共通モバイルインターネットプロトコル（ＭＩＰ）トンネルである、［２１］に記載の装置。
[２４]  前記ＩＰネットワーク側要素が、ホームエージェント（ＨＡ）、ローカルモビリティアンカー（ＬＭＡ）又は呼発信者ゲートウェイ構成要素のうちの１つである、［２３］に記載の装置。
[２５]  前記メモリが、前記ＡＴによる登録セッションに基づいて前記関連付けるステップを実行するためのプログラムコードを更に備え、前記登録セッションが、無線リンクレイヤセッション、データリンクレイヤセッション又はＩＰネットワークレイヤセッションのうちの１つである、［２４］に記載の装置。
[２６]  前記メモリが、ポイントツーポイントプロトコル（ＰＰＰ）セッションに対応するＡＴ固有コンテキストを削除するためのプログラムコードを更に含む、［２１］に記載の装置。
[２７]  前記メッセージが、ウェイクアップメッセージ、ページ又は階層メッセージのうちの１つである、［２１］に記載の装置。
[２８]  前記メッセージが、前記ネットワーク識別子を機器固有識別子に変換するためのマッピングに関する情報を含む、［２１］に記載の装置。
[２９]  前記機器固有識別子がユニキャストアクセス端末識別子（ＵＡＴＩ）である、［２８］に記載の装置。
[３０]  前記呼を搬送するための前記ＡＴに対応する前記ネットワーク識別子のための固有の接続及びコンテキストが確立され、前記メッセージに対する応答に基づく、［２１］に記載の装置。
[３１]  前記ネットワーク識別子がＩＰアドレス又はユニバーサルリソースロケータ（ＵＲＬ）である、［２１］に記載の装置。
[３２]  プロセッサとメモリとを備える、接続を確立するための装置であって、前記メモリは、ワイヤレス通信ネットワークとの登録セッションを行うことと、前記登録セッションに基づいてアクセス端末（ＡＴ）に対応するネットワーク識別子を取得することと、前記ネットワーク識別子を維持しながら前記ＡＴのためのインターネットプロトコル（ＩＰ）関係のコンテキストを削除することと、前記ＡＴに宛てられた呼を示すメッセージを受信することと、前記メッセージに基づいて、前記呼を搬送するための前記ＡＴに対応する固有の接続を確立することと、を実行するための、前記プロセッサによって実行可能なプログラムコードを含んでいる、
装置。
[３３]  前記メモリが、前記ネットワーク識別子の登録を開始するためのプログラムコードを更に備える、［３２］に記載の装置。
[３４]  前記ネットワーク識別子がＩＰアドレスである、［３３］に記載の装置。
[３５]  前記メモリが、ポイントツーポイントプロトコル（ＰＰＰ）セッションに対応するＡＴ固有コンテキストを削除するためのプログラムコードを更に含む、［３２］に記載の装置。
[３６]  ワイヤレス通信ネットワークにおいて接続を確立するための装置であって、２つ以上のアクセス端末（ＡＴ）が使用する共通接続を予約するための手段と、前記共通接続を前記ＡＴに対応するネットワーク識別子に関連付けるための手段と、前記ネットワーク識別子を維持しながら前記ＡＴのためのインターネットプロトコル（ＩＰ）関係のコンテキストを削除するための手段と、前記ＡＴへの呼に基づいて、前記共通接続を介して、及び前記ネットワーク識別子に基づいて、メッセージを送信するための手段であって、前記呼を搬送するための前記ＡＴに対応する固有の接続が、前記メッセージに対する応答に基づく、送信するための手段と、を備える、装置。
[３７]  無線アクセスネットワーク（ＲＡＮ）要素とパケットデータ交換ノード（ＰＤＳＮ）との間に前記共通接続を確立するための手段を更に備える、［３６］に記載の装置。
[３８]  前記共通接続が、パケットデータサービングノード（ＰＤＳＮ）とＩＰネットワーク側要素との間に確立された共通モバイルインターネットプロトコル（ＭＩＰ）トンネルである、［３６］に記載の装置。
[３９]  前記ＩＰネットワーク側要素が、ホームエージェント（ＨＡ）、ローカルモビリティアンカー（ＬＭＡ）又は呼発信者ゲートウェイ構成要素のうちの１つである、［３８］に記載の装置。
[４０]  前記関連付けるステップが、前記ＡＴによる登録セッションに基づいて実行され、前記登録セッションが、無線リンクレイヤセッション、データリンクレイヤセッション又はＩＰネットワークレイヤセッションのうちの１つである、［３９］に記載の装置。
[４１]  ポイントツーポイントプロトコル（ＰＰＰ）セッションに対応するＡＴ固有コンテキストを削除するための手段を更に備える、［３６］に記載の装置。
[４２]  前記メッセージが、ウェイクアップメッセージ、ページ又は階層メッセージのうちの１つであり、前記メッセージが、前記ネットワーク識別子を機器固有識別子に変換するためのマッピングに関する情報を含む、［３６］に記載の装置。
[４３]  前記機器固有識別子がユニキャストアクセス端末識別子（ＵＡＴＩ）である、［４２］に記載の装置。
[４４]  前記ネットワーク識別子がＩＰアドレス又はユニバーサルリソースロケータ（ＵＲＬ）である、［３６］に記載の装置。
[４５]  アクセス端末（ＡＴ）において接続を確立するための装置であって、ワイヤレス通信ネットワークとの登録セッションを行うための手段と、前記登録セッションに基づいて前記ＡＴに対応するネットワーク識別子を取得するための手段と、前記ネットワーク識別子を維持しながら前記ＡＴのためのインターネットプロトコル（ＩＰ）関係のコンテキストを削除するための手段と、前記ＡＴに宛てられた呼を示すメッセージを受信するための手段と、前記メッセージに基づいて、前記呼を搬送するための前記ＡＴに対応する固有の接続を確立するための手段と
を備える、装置。
[４６]  前記ネットワーク識別子の登録を開始するための手段を更に備える、［４５］に記載の装置。
[４７]  前記ネットワーク識別子がＩＰアドレスである、［４６］に記載の装置。
[４８]  ポイントツーポイントプロトコル（ＰＰＰ）セッションに対応するＡＴ固有コンテキストを削除するための手段を更に備える、［４５］に記載の装置。
[４９]  ２つ以上のアクセス端末（ＡＴ）が使用する共通接続を予約することをコンピュータに行わせるためのコードと、前記共通接続を前記ＡＴに対応するネットワーク識別子に関連付けることを前記コンピュータに行わせるためのコードと、前記ネットワーク識別子を維持しながら前記ＡＴのためのインターネットプロトコル（ＩＰ）関係のコンテキストを削除することを前記コンピュータに行わせるためのコードと、前記ＡＴへの呼に基づいて、前記共通接続を介して、及び前記ネットワーク識別子に基づいて、メッセージを送信することを前記コンピュータに行わせるためのコードと、を含むコンピュータ可読媒体を備える、コンピュータプログラム製品。
[５０]  ワイヤレス通信ネットワークとの登録セッションを行うことをコンピュータに行わせるためのコードと、前記登録セッションに基づいてＡＴに対応するネットワーク識別子を取得することを前記コンピュータに行わせるためのコードと、前記ネットワーク識別子を維持しながら前記ＡＴのためのインターネットプロトコル（ＩＰ）関係のコンテキストを削除することを前記コンピュータに行わせるためのコードと、前記ＡＴに宛てられた呼を示すメッセージを受信することを前記コンピュータに行わせるためのコードと、前記メッセージに基づいて、前記呼を搬送するための前記ＡＴに対応する固有の接続を確立することを前記コンピュータに行わせるためのコードと、を含むコンピュータ可読媒体を備える、コンピュータプログラム製品。
【図１】
0005529338.tif 000003
【図２】
0005529338.tif 000004
【図３】
0005529338.tif 000005
【図４】
0005529338.tif 000006
【図５】
0005529338.tif 000007
【図６】
0005529338.tif 000008
【図７】
0005529338.tif 000009
【図８】
0005529338.tif 000010
【図９】
0005529338.tif 000011
【図１０】
0005529338.tif 000012
【図１１】
0005529338.tif 000013
【図１２】
0005529338.tif 000014
【図１３】
0005529338.tif 000015
【図１４】
0005529338.tif 000016
【図１５】
0005529338.tif 000017
【図１６】
0005529338.tif 000018
【図１７】
0005529338.tif 000019
【図１８】
0005529338.tif 000020
【図１９】
0005529338.tif 000021